(57)【要約】   無線周波数（ＲＦ）受信機において、受信機ＲＦチェーンは、第１の期間の間に受信機ＲＦチェーンにおける第１の（例えば全地球測位システムＧＰＳ））チャネル上の第１の（例えばＧＰＳ）信号の受信を可能にするために、第１の（例えばＧＰＳ）チャネルに同調される。受信機ＲＦチェーンは、第１の期間に続く第２の期間の間に受信機ＲＦチェーンにおける第２の（例えばセルラページング）チャネル上の第２の（例えばセルラページング）信号の受信を可能にするために、第２の（例えばセルラページング）チャネルに同調される。第１の期間の間および第２の期間の間に第１の（例えばＧＰＳ）信号は、第２の期間の間の前記第１の（例えばＧＰＳ）信号のいかなる明白な中断も無く処理される。この処理は、例えば、実際の中断を第２の期間の間の第１の（例えばＧＰＳ）信号の一時的で短期間なフェージングとして扱うか、または、第２の期間の間のブリッジ信号（例えば受信機ＲＦチェーンにおける推定ＧＰＳ信号、または別の受信機ＲＦチェーンで受信された実際のＧＰＳ信号）を提供する。【選択図】      図６
2011523999.tif 000002
【特許請求の範囲】
【請求項１】
第１の期間の間に第１の信号の受信を可能にするために、第１の受信機無線周波数（ＲＦ）チェーンにおける第１のチャネルに同調することと、
前記第１の期間に続く第２の期間の間に第２の信号の受信を可能にするために、前記第１の受信機ＲＦチェーンにおける第２のチャネルに同調することと、
前記第１の期間の間および前記第２の期間の間に前記第１の信号を、前記第２の期間の間の前記第１の信号のいかなる明白な中断も無く処理すること、
とを含む方法。
【請求項２】
前記第１の期間の間に前記第１の信号の処理を可能にするために、前記第２の期間の間に前記第１の受信機ＲＦチェーンにおける前記第１のチャネル上で受信されると予想される前記第１の信号の代理のブリッジ信号を提供することと、
前記第２の期間の間に前記ブリッジ信号を処理すること、
とをさらに含む、請求項１に記載の方法。
【請求項３】
前記ブリッジ信号が、
前記第２の期間の間に前記第１の受信機ＲＦチェーンにおける前記第１のチャネル上で受信されない前記第１の信号の推定
を含む、請求項２に記載の方法。
【請求項４】
第３の期間の間に前記第１の受信機ＲＦチェーンとは異なる第２の受信機ＲＦチェーンの前記第１のチャネル上で前記第１の信号の受信を可能にするために、前記第２の受信機ＲＦチェーンにおける前記第１のチャネルに同調することをさらに含み、
前記ブリッジ信号が、前記第２の期間の間に前記第２の受信機ＲＦチェーンにおける前記第１のチャネル上で実際に受信された前記第１の信号を含む、
請求項２に記載の方法。
【請求項５】
前記第３の期間が、前記第２の期間に対応し、かつ前記第２の期間の開始および終了に時間的に揃えられる、請求項４に記載の方法。
【請求項６】
前記第３の期間が、前記第２の期間に対応し、かつ前記第２の期間の開始および終了の少なくとも１つと時間的にオーバラップする、請求項４に記載の方法。
【請求項７】
前記第１の受信機ＲＦチェーンにおける前記第１のチャネル上の前記第１の信号の前記受信を中断することをさらに含み、
前記第２のチャネルへの前記同調が、前記中断に応答している、
請求項１に記載の方法。
【請求項８】
前記第１の期間の終了前に前記第１の受信機ＲＦチェーンにおける前記第１のチャネルに対する第１のチャネル同調情報を決定することと、
前記第１のチャネル同調情報を決定することに応答して前記第１のチャネルに対する前記第１のチャネル同調情報を格納すること、
とをさらに含む、請求項１に記載の方法。
【請求項９】
前記第２の期間の終了前に前記第１の受信機ＲＦチェーンにおける前記第２のチャネルに対する第２のチャネル同調情報を決定することと、
前記第２のチャネル同調情報を決定することに応答して前記第２のチャネルに対する前記第２のチャネル同調情報を格納すること、
とをさらに含む請求項１に記載の方法。
【請求項１０】
前記第１の信号が衛星測位システム（ＳＰＳ）信号を含み、かつ前記方法が前記ＳＰＳ信号の位相を、一度受信すると、連続してオン状態のディジタルカウンタに基づいて調整することをさらに含む、請求項１に記載の方法。
【請求項１１】
前記調整することが、複数の共有フィルタにおける前記位相を移相することさらに含む、請求項１０に記載の方法。
【請求項１２】
第１の期間の間に少なくとも１つの衛星測位システム（ＳＰＳ）信号の受信を可能にするために、第１の受信機無線周波数（ＲＦ）チェーンにおけるＳＰＳチャネルに同調することと、
前記第１の期間に続く第２の期間の間にセルラページング信号の受信を可能にするために、前記第１の受信機ＲＦチェーンにおけるセルラページングチャネルに同調することと、
前記第１の期間の間および前記第２の期間の間に前記ＳＰＳ信号を、前記第２の期間の間の前記ＳＰＳ信号のいかなる明白な中断も無く処理すること、
とを含む方法。
【請求項１３】
前記第１の期間の間に前記ＳＰＳ信号の前記処理を可能にするために、前記第２の期間の間に前記第１の受信機ＲＦチェーンにおける前記ＳＰＳチャネル上で受信されると予想される前記ＳＰＳ信号の代理のブリッジ信号を提供することと、前記第２の期間の間の前記ブリッジ信号を処理すること、
とをさらに含む、請求項１２に記載の方法。
【請求項１４】
前記ブリッジ信号が、
前記第２の期間の間に前記ＳＰＳチャネル上で受信されない前記ＳＰＳ信号の推定、
を含む、請求項１３に記載の方法。
【請求項１５】
第３の期間の間に前記第１の受信機ＲＦチェーンとは異なる第２の受信機ＲＦチェーンにおける前記ＳＰＳチャネル上で前記ＳＰＳ信号の受信を可能にするために、前記第２の受信機ＲＦチェーンにおける前記ＳＰＳチャネルに同調することをさらに含み、
前記ブリッジ信号が、前記第２の期間の間に前記第２の受信機ＲＦチェーンにおける前記ＳＰＳチャネル上で実際に受信された前記ＳＰＳ信号を含む、
請求項１３に記載の方法。
【請求項１６】
前記第３の期間が、前記第２の期間に対応し、かつ前記第２の期間の開始および終了の少なくとも１つと時間的にオーバラップする、請求項１５に記載の方法。
【請求項１７】
第１の受信機無線周波数（ＲＦ）チェーンにおける衛星測位システム（ＳＰＳ）チャネルに同調することと、
前記ＳＰＳチャネルへの同調に応答して、第１の期間の間に前記第１の受信機無線ＲＦチェーンにおける前記ＳＰＳチャネル上のＳＰＳ信号を受信することと、
前記第１の受信機ＲＦチェーンにおける前記ＳＰＳチャネル上の前記ＳＰＳ信号の前記受信を中断することと、
前記ＳＰＳ信号の前記受信の中断に応答して、前記第１の受信機ＲＦチェーンにおけるセルラページングチャネルに同調することと、
前記セルラページングチャネルへの同調に応答して、前記第１の期間に続く第２の期間の間に前記第１の受信機ＲＦチェーンにおける前記セルラページングチャネル上のセルラページング信号を、それがある場合には、受信することと、
前記第２の期間の間に前記第１の受信機ＲＦチェーンにおける前記ＰＳチャネル上で受信されると予想される前記ＳＰＳ信号の代理のブリッジ信号を提供することと、
前記第１の期間の間の前記ＳＰＳ信号および前記第２の期間の間の前記ブリッジ信号を、前記第２の期間の間の前記ＳＰＳ信号のいかなる明白な中断も無く処理すること、
とを含む方法。
【請求項１８】
前記ブリッジ信号が、
前記第２の期間の間に前記第１の受信機ＲＦチェーンにおける前記ＳＰＳチャネル上で受信されない前記ＳＰＳ信号の推定、
を含む、請求項１７に記載の方法。
【請求項１９】
第３の期間の間に前記第１の受信機ＲＦチェーンとは異なる第２の受信機ＲＦチェーンにおける前記ＳＰＳチャネル上の前記ＳＰＳ信号の受信を可能にするために、前記第２の受信機ＲＦチェーンにおける前記ＳＰＳチャネルに同調することをさらに含み、
前記ブリッジ信号が、前記第２の期間の間に前記第１の受信機ＲＦチェーンにおける前記ＳＰＳチャネル上の実際に受信された前記ＳＰＳ信号を含む、
請求項１７に記載の方法。
【請求項２０】
前記第３の期間が、前記第２の期間に対応し、かつ前記第２の期間の開始および終了の少なくとも１つと時間的にオーバラップする、請求項１９に記載の方法。
【請求項２１】
第１の受信機無線周波数（ＲＦ）チェーンと、
第１の期間の間に第１のチャネル上の第１の信号の受信を可能にするために、前記第１の受信機ＲＦチェーンにおける前記第１のチャネルに同調し、かつ
前記第１の期間に続く第２の期間の間に第２のチャネル上で第２の信号の受信を可能にするために、前記第１の受信機ＲＦチェーンにおける前記第２のチャネルに同調する
第１の同調信号プロセッサと、
前記第１の期間の間および前記第２の期間の間に前記第１の信号を、前記第２の期間の間の前記第１の信号のいかなる明白な中断も無く処理する第１の信号プロセッサ、
とを含む無線周波数（ＲＦ）受信機。
【請求項２２】
前記第１の受信機ＲＦチェーンとは異なる第２の受信機ＲＦチェーンと、
前記第２の期間の間に前記第２の受信機ＲＦチェーンにおける前記第１のチャネル上の前記第１の信号の受信を可能にするために、前記第２の受信機ＲＦチェーンにおける前記第１のチャネルに同調する第２の同調信号プロセッサ、
とをさらに含み、
前記第１の信号プロセッサが、再構成された第１の信号を第２の期間の間に前記第１の受信機ＲＦチェーンにおいて前記第１の信号のいかなる明白な中断も無く出力するために、前記第１の期間の間に前記第１の受信機ＲＦチェーンからの前記第１の信号を処理し、かつ前記第２の期間の間に前記第２の受信機ＲＦチェーンからの前記第１の信号を処理する、
請求項２１に記載のＲＦ受信機。
【請求項２３】
前記第１の信号プロセッサが、復元した第１の信号を前記第２の期間の間に前記第１の信号のいかなる明白な中断も無く出力するために、前記第１の期間の間に前記第１の信号を処理し、かつ前記第２の期間の間に前記第１の信号の予測を処理する、請求項２１に記載のＲＦ受信機。
【請求項２４】
前記第１の期間の間に前記第１のチャネルへの前記同調をするタイミングを決めるためと前記第２の期間の間に前記第２のチャネルへ前記同調をするタイミングを決めるためとのクロック信号を出力するための、前記第１の同調信号プロセッサに接続されたリアルタイムクロック、
を含む、請求項２１に記載のＲＦ受信機。
【請求項２５】
第１の期間の間に第１のチャネル上の第１の信号の受信を可能にするために、受信機無線周波数（ＲＦ）チェーンにおける前記第１のチャネルに同調するための手段と、
前記第１の期間に続く第２の期間の間に第２のチャネル上で第２の信号の受信を可能にするために、前記受信機ＲＦチェーンにおける前記第２のチャネルに同調するための手段と、
前記第１の期間の間および前記第２の期間の間に前記第１の信号を、前記第２の期間の間の前記第１の信号のいかなる明白な中断も無く処理するための手段、
とを含む、無線周波数（ＲＦ）受信機。
【請求項２６】
第１の期間の間に第１のチャネル上の第１の信号の受信を可能にするために、受信機無線周波数（ＲＦ）チェーンにおける前記第１のチャネルに同調するためのプログラムコードと、
前記第１の期間に続く第２の期間の間に第２のチャネル上の第２の信号の受信を可能にするために、前記受信機ＲＦチェーンにおける前記第２のチャネルに同調するためのプログラムコードと、
前記第１の期間の間および前記第２の期間の間に前記第１の信号を、前記第２の期間の間の前記第１の信号のいかなる明白な中断も無く処理するためのプログラムコード、
とを含む、実体としてプログラムコードを格納する計算機可読媒体。
【請求項２７】
第１の期間の間に第２の受信機無線周波数（ＲＦ）チェーンにおける第１のチャネル上の第１の信号の受信を可能にするために、前記第２の受信機ＲＦチェーンにおける前記第１のチャネルに同調することと、
第３の期間の間に前記第２の受信機ＲＦチェーンとは異なる第１の受信機ＲＦチェーンにおける前記第１のチャネル上の前記第１の信号の受信を可能にするために、前記第１の受信機ＲＦチェーンにおける前記第１のチャネルに同調することと、
再構成された第１の信号を前記第１および第３の期間の間に出力するために、前記第１の期間の間に前記第２の受信機ＲＦチェーンからの前記第１の信号と、前記第３の期間の間に前記第１の受信機ＲＦチェーンからの前記第１の信号とを処理すること、
とを含む方法。
【請求項２８】
前記第１の期間に続く第２の期間の間に前記第２の受信機ＲＦチェーンにおける第２のチャネル上の第２の信号の受信を可能にするために、前記第２の受信機ＲＦチェーンの前記第２のチャネルに同調すること、
を含む、請求項２７に記載の方法。
【請求項２９】
前記第３の期間が、前記第２の期間に対応し、かつ前記第２の期間の開始および終了の少なくとも１つと時間的にオーバラップする、請求項２７に記載の方法。
【請求項３０】
前記第１の受信機ＲＦチェーンからの前記第１の信号と前記オーバラップ中の前記第２の受信機ＲＦチェーンからの前記第１の信号との間の部分的なキャリア位相差を推定することをさらに含み、
前記処理が前記推定された部分的なキャリア位相差を考慮する、
請求項２９に記載の方法。
【発明の詳細な説明】
【技術分野】
【０００１】
本特許出願は、２００８年５月１日に出願され、ここの譲受人に譲渡され、全体がここに参照として組み込まれる米国仮出願番号61/049,748、名称“System and Apparatus to Multiplex Single RF Chain Across GPS and Cellular System Paging Channel Operations”（「単一ＲＦチェーンをＧＰＳおよびセルラシステムページングのチャネル操作にまたがって多重化するためのシステムおよび装置」）に対する利益および優先権を主張する。
【０００２】
本開示は一般に無線周波数（ＲＦ）通信に関する。より詳細には、本開示は単一の受信機ＲＦチェーンにおける第１の（例えば全地球測位システム（ＧＰＳ））信号と第２の（例えばセルラページング）信号とを多重化することに関する。さらに、本発明は２つの異なる受信機チェーンの間で信号（例えば、全地球測位システム（ＧＰＳ）信号）を多重化することに関する。
【背景技術】
【０００３】
無線周波数（ＲＦ）通信の用途においては、ＲＦ受信機またはＲＦ送受信機の受信機部分はアンテナからの入力を受け取り、またアンテナによって受信された他のすべての無線信号から対象とする無線信号を分離するための電子的フィルタを用いる電子回路である。増幅器は対象とする無線信号を処理に適切なレベルまで増幅する。局部発振器は、ミクサが増幅された無線周波数信号をある周波数からそれと異なるより低い周波数へダウンコンバージョンするための局部発振器信号を発生する。変換された周波数の信号はさらにフィルタリングされ、増幅され、音、画像、ディジタルデータ、測定値、航法的位置、その他のような利用可能な形式へ復号される。
【０００４】
ＲＦ送信機またはＲＦ送受信機の送信機部分は音、画像、ディジタルデータ、測定値、航法的位置、その他のような入力信号を受け取る電子回路である。入力信号は符号化、変調、フィルタリング、および増幅されることによって電子的信号へと処理される。局部発振器はミクサが電子的信号をある周波数からそれと異なるより高い周波数へアップコンバージョンするための局部発振器信号を生成する。変換された信号はさらにフィルタリングされ、送信に適したレベルへ増幅される。増幅された信号はその増幅された信号を特定の周波数の無線周波数信号として送信するためにアンテナによって放射される。
【０００５】
例えば携帯電話として具体化されたＲＦ送信機は、複数の無線インタフェイスプロセスに関係づけられた複数の周波数帯域を有するＲＦ通信システムに採用され得る。これらの通信システムは、例えば、音（例えば音声）、データ（例えばビデオ、インターネット、テキスト、その他）、測位（例えばＧＰＳ）のようなサービスを提供する。同時にまたは異なる時間に複数の周波数帯域の１つ以上で通信するために携帯電話は受信機および送信機に、ＲＦ通信システムに適合した機能が与えられなければならない。上記に要約したように、受信機と送信機の各々はＲＦ通信を提供するための多くの複雑な機能を有している。各受信機および送信機がＲＦ通信システムの複数周波数帯域の各々のために同じものが用意されると、携帯電話は大きくなりすぎ高価になりすぎるだろう。複数周波数帯域を有するＲＦ通信システムに適合する効率的受信機および送信機機能を、携帯電話の大きさまたはコストを増加することなく、携帯電話へ提供することが望ましいだろう。
【０００６】
通常および従来の方法の更なる限界および不利な点は、そのようなシステムと、図面を参照して本出願の以下の部分に記載する本発明のいくつかの態様とを比較することによって、ＲＦ送受信機設計の当業者には明らかになるだろう。
【発明の概要】
【０００７】
本発明の一態様にしたがって、１つの方法は、第１の期間の間に第１の信号の受信を可能にするために、受信機無線周波数（ＲＦ）チェーンにおける第１のチャネルに同調し、次に、第１の期間に続く第２の期間の間に第２の信号の受信を可能にするために、受信機ＲＦチェーンにおける第２のチャネルに同調することを含む。また、本方法は、第１の期間の間および第２の期間の間に第１の信号を第２の期間の間の第１の信号の明白な中断なしに処理することも含む。
【０００８】
別の態様において、１つの方法は、第１の期間の間に少なくとも１つの衛星測位システム（ＳＰＳ）信号の受信を可能にするために、受信機無線周波数（ＲＦ）チェーンにおけるＳＰＳチャネルに同調し、次に、第１の期間に続く第２の期間の間にセルラページング信号の受信を可能にするために、受信機ＲＦチェーンにおけるセルラページングチャネルに同調することを含む。また、本方法は、第１の期間および第２の期間にＳＰＳ信号を第２の期間の間のＳＰＳ信号の明白な中断なしに処理することも含む。
【０００９】
さらに別の態様において、１つの方法は、受信機無線周波数（ＲＦ）チェーンにおける衛星測位システム（ＳＰＳ）チャネルに同調し、次に、ＳＰＳチャネルへの同調に応答して第１の期間の間に受信機ＲＦチェーンにおけるＳＰＳチャネル上のＳＰＳ信号を受信することを含む。また、本方法は、受信機ＲＦチェーンにおけるＳＰＳチャネルのＳＰＳ信号の受信を中断し、次に、ＳＰＳ信号の受信の中断に応答して、受信機ＲＦチェーンにおけるセルラページングチャネルに同調することを含む。本方法は、セルラページングチャネルへの同調に応答して、第１の期間に続く第２の期間の間に受信機ＲＦチェーンにおけるセルラページングチャネル上のセルラページング信号を、存在すれば、受信することをさらに含む。第２の期間の間に受信機ＲＦチェーンにおけるＳＰＳチャネル上で受信されることが予想されるＳＰＳ信号の代理のブリッジ信号が提供される。ＳＰＳ信号は第１の期間の間に処理され、ブリッジ信号は第２の期間の間のＳＰＳ信号の明白な中断なしに第２の期間の間に処理される。
【００１０】
さらに別の態様において、無線周波数（ＲＦ）受信機は同調信号プロセッサを有する受信機無線周波数（ＲＦ）チェーンを含む。同調信号プロセッサは、第１の期間の間に第１のチャネル上の第１の信号の受信を可能にするために、受信機ＲＦチェーンにおける第１のチャネルに同調し、第１の期間に続く第２の期間の間に第２のチャネル上の第２の信号の受信を可能にするために、受信機ＲＦチェーンにおける第２のチャネルに同調する。信号プロセッサは第１の期間の間および第２の期間の間に第１の信号を第２の期間の間の第１の信号の明白な中断なしに処理する。
【００１１】
また更に別の態様において、無線周波数（ＲＦ）受信機は、第１の期間の間に第１のチャネル上の第１の信号の受信を可能にするために、受信機無線周波数（ＲＦ）チェーンにおける第１のチャネルに同調するための手段と、第１の期間に続く第２の期間の間に第２のチャネル上の第２の信号の受信を可能にするために、受信機ＲＦチェーンにおける第２のチャネルに同調するための手段と、第１の期間の間および第２の期間の間に第１の信号を第２の期間の間の第１の信号の明白な中断なしに処理するための手段とを含む。
【００１２】
別の態様において、計算機可読媒体はプログラムコードを実体として格納する。プログラムコードは、第１の期間の間に第１のチャネル上の第１の信号の受信を可能にするために、受信機無線周波数（ＲＦ）チェーンにおける第１のチャネルに同調するためのプログラムコードを含む。また、プログラムコードは、第１の期間に続く第２の期間の間に第２のチャネル上の第２の信号の受信を可能にするために、受信機ＲＦチェーンにおける第２のチャネルに同調するためのプログラムコードも含む。プログラムコードは、第１の期間の間および第２の期間の間に第１の信号を第２の期間の間の第１の信号の明白な中断なしに処理するためのプログラムコードをさらに含む。
【００１３】
さらに別の態様において、１つの方法は、第１の期間の間に第２の受信機無線周波数（ＲＦ）チェーンにおける第１のチャネル上の第１の信号の受信を可能にするために、第２の受信機ＲＦチェーンにおける第１のチャネルに同調することを含む。また、本方法は、第３の期間の間に第１の受信機無線周波数（ＲＦ）チェーンにおける第１のチャネル上の第１の信号の受信を可能にするために、第２の受信機ＲＦチェーンとは異なる第１の受信機ＲＦチェーンにおける第１のチャネルに同調することも含む。本方法は、再構成された第１の信号を第１および第３の期間の間に提供するために、第１の期間の間の第２の受信機ＲＦチェーンからの第１の信号と、第３の期間の間の第１の受信機ＲＦチェーンからの第１の信号とを処理することをさらに含む。
【００１４】
本発明のこれらおよび他の態様は添付図面と以下の詳細な説明から明らかになるだろう。
【図面の簡単な説明】
【００１５】
【図１】無線周波数（ＲＦ）通信システムのブロック図表現の一例を示す図。
【図２】本発明の、第１の受信機チェーンおよび第２の受信機チェーンを含む、図１に示すようなＲＦ送受信機のブロック図表現の一例を示す図。
【図３】本発明の、図２に示すような第１の受信機無線周波数（ＲＦ）チェーンおよび第２の受信機ＲＦチェーンの付加的詳細を示す、ＲＦ送受信機のブロック図表現の一例を示す図。
【図４】本発明の、ベースバンド信号プロセッサの付加的詳細を示す、ＲＦ送受信機のブロック図表現の一例を示す図。
【図５】本発明の、第２の受信機ＲＦチェーンにおける全地球側位システム（ＧＰＳ）信号とセルラページング信号とを多重化する、ＲＦ送受信機のための信号ダイアグラム表現の一例を示す図。
【図６】本発明の、第１の受信機ＲＦチェーンと第２の受信機ＲＦチェーンの間でＧＰＳ信号の受信を多重化する、ＲＦ送受信機に対する信号ダイアグラム表現の第１の例を示す図。
【図７】本発明の、第１の受信機ＲＦチェーンと第２の受信機ＲＦチェーンの間でＧＰＳ信号の受信を多重化する、ＲＦ送受信機に対する信号ダイアグラム表現の第２の例を示す図。
【図８】本発明の、第１の受信機ＲＦチェーンでデータ信号を受信するための方法の一例を示す図。
【図９】本発明の、第１の送信機ＲＦチェーンでデータ信号を送信するための方法の一例を示す図。
【図１０】本発明の、第１の受信機ＲＦチェーンでセルラ音声信号を受信するための方法の一例を示す図。
【図１１】本発明の、第１の送信機ＲＦチェーンでセルラ音声信号を送信するための方法の一例を示す図。
【図１２】本発明の、図５に示す信号ダイアグラム表現にしたがって、第２の受信機ＲＦチェーンにおけるＧＰＳ信号とセルラページング信号とを多重化するための方法の一例を示す図。
【図１３】本発明の、図６および／または図７の信号ダイアグラム表現に示すような、第１の受信機ＲＦチェーンにおけるＧＰＳ信号とデータ信号とを多重化するための方法の一例を示す図。
【図１４】本発明の、ＧＰＳ信号を第１の受信機ＲＦチェーンと第２の受信機ＲＦチェーンの間で多重化するための方法の一例を示す図。
【発明を実施するための形態】
【００１６】
本発明の態様を、図面内の同一参照番号は同一要素を指す添付図面の図中に限定としてではなく例として示す。
【００１７】
以下の説明と図面は本発明の態様の例示および例であって、本発明を限定するものとして解釈されるべきではない。本発明の完全な理解を与えるために、多くの具体的詳細が説明される。しかし、ある場合には、本発明の説明をあいまいにすることを避けるために周知のまたは通常の詳細は説明されない。一実施例への参照または本開示の実施例は必ずしも同一の実施例ではなく、そのような参照は１つ以上の実施例を含み得る。
【００１８】
図１に通信システム１００のブロック図表示の一例を示す。通信システム１００は一般に第１の無線周波数（ＲＦ）通信システム１０２、第２のＲＦ通信システム１０４、およびＲＦ送受信機１０６を含む。第１のＲＦ通信システム１０２はＲＦ通信リンク１０８上でＲＦ送受信機と交信する。第２のＲＦ通信システム１０４はＲＦ通信リンク１１０上で第１のＲＦ通信システムおよび／またはＲＦ送受信機１０６と交信する。
【００１９】
一例において、第１のＲＦ通信システムは１つ以上の無線インタフェイス規格を用い、かつ関係する信号プロトコルを有する、セルラ信号を伝送するように適応された地上ベースのシステムである。セルラシステムは典型的には複数のセルラ基地局（「基地局」または「ＢＳ」）（図示しない）、移動通信交換局（図示しない）、および場所サーバ（図示しない）を含む。場所サーバは他の呼び方として位置決定エンティティ（ＰＤＥ）と呼ばれる。セルラシステムは、例えばＣＤＭＡ、ＴＤＭＡ、ＦＤＭＡ、もしくはＧＳＭ（登録商標）、またはそれらの組合せのような任意の規格またはプロトコルに従って、多重アクセス通信を提供し得る。
【００２０】
無線インタフェイス規格は、例えばＣＤＭＡ２０００  ＥＶＤＯ（最適化発展データ（Evolution Data Optimized））、ＣＤＭＡ２０００  １ｘＲＴＴまたはＩＳ−２０００、ＵＭＴＳ−ＴＤＤ（ユニバーサル移動体通信システム−時分割双方向（Universal Mobile Telecommunications System - Time Division Duplexing））、ＵＭＴＳ  Ｗ−ＣＤＭＡ（広帯域ＣＤＭＡ）ＨＳＤＰＡ（高速ダウンリンクパケットアクセス（High Speed Downlink Packet Access））＋ＨＳＵＰＡ（高速アップリンクパケットアクセス（High Speed Uplink Packet Access））＋ＨＳＰＡ（高速パケットアクセス（High Speed Packet Access））、ＥＤＧＥ  Ｅｖｏｌｕｔｉｏｎ、ｉＢｕｒｓｔまたはＨＣ−ＳＤＭＡ（大容量空間分割多重アクセス（High Capacity Spatial Division Multiple Access））、ＷｉＢｒｏ（無線ブロードバンド）、ＨＩＰＥＲＭＡＮ（高性能無線メトロポリタンエリアネットワーク（High Performance Radio Metropolitan Area Network））、Ｆｌａｓｈ−ＯＦＤＭ（シームレスハンドオフＯＦＤＭ高速低遅延アクセス（Fast Low- latency Access with Seamless Handoff Orthogonal Frequency Division Multiplexing））、８０２．１６ｅＷｉＭＡＸ（マイクロ波アクセスのための世界規模相互運用（Worldwide Interoperability for Microwave Access））、ＵＭＴＳ／４ＧＳＭ  ＬＴＥ（長期発展（Long Term Evolution））、ＧＳＭ（全地球移動通信システム（Global System for Mobile Communication））、または将来開発される任意の他の無線インタフェイスを含み得る。
【００２１】
特に、ＣＤＭＡ２０００  ＥＶＤＯは無線信号によるデータの無線伝送のための通信規格であって、典型的には広帯域インターネットアクセスのための規格である。ＣＤＭＡ２０００  ＥＶＤＯは時分割多重アクセス（ＴＤＭＡ）と同様に符号分割多重アクセス（ＣＤＭＡ）を含む多重化技術を用いて個人ユーザのスループットおよびシステム全体のスループットの双方を最大化する。ＥＶ−ＤＯチャネルはＩＳ−９５Ａ（ＩＳ−９５）およびＩＳ−２０００（１ｘＲＴＴ）が用いる帯域幅と同じ大きさの１．２５ＭＨｚの帯域幅を有する。ＣＤＭＡ２０００  ＥＶＤＯ規格のＴＩＡ−８５６  Ｒｅｖ．Ｂはダウンリンクチャネルで最大１４．７Ｍｂｐｓ、アップリンクチャネルで最大５．４Ｍｂｐｓをサポートする。
【００２２】
一例において、第２のＲＦ通信システムは、１つ以上の無線インタフェイス規格を用いて衛星信号を送信するように適応された、宇宙ベースのシステムである。無線インタフェイス規格は、例えば全地球測位システム（ＧＰＳ）、Ｇａｌｉｌｅｏ、ＧＬＯＮＡＳＳ、ＮＡＶＳＴＡＲ、ＧＮＳＳ（全地球航法衛星システム（Global Navigation Satellite System））、これらのシステムの組合せからの衛星を使用するシステム、または将来開発される擬似衛星システムを含む任意のＳＰＳ（衛星測位システム）を含み得る。
【００２３】
衛星測位システム（ＳＰＳ）は、典型的には、エンティティがそれらの地球表面の位置または地表面より上の位置を、送信機から受信した信号に少なくとも一部基づいて決定できるようにするために配置された送信機のシステムを含む。そのような送信機は、典型的には、設定された数のチップの繰返し擬似ランダム雑音（ＰＮ）符号でマークされた信号を送信し、地上制御局、ユーザ機器、および／または宇宙飛行体に設置され得る。特定の例において、そのような送信機は地球周回人工衛星（ＳＶ）に設置され得る。例えば、全地球測位システム（ＧＰＳ）、Ｇａｌｉｌｅｏ、ＧｌｏｎａｓｓまたはＣｏｍｐａｓｓのような全地球航法衛星システム（ＧＮＳＳ）の集合体内のＳＶはその集合体内の他のＳＶによって送信されるＰＮ符号とは識別可能なＰＮ符号を用いて（例えばＧＰＳにおけるように各衛星に対して異なるＰＮ符号を用いて、またはＧｌｏｎａｓｓにおけるように異なる周波数で同じ符号を用いて）マークされた信号を送信し得る。
【００２４】
ある態様に従うと、ここに説明する手法はＳＰＳのための地球規模のシステム（例えば、ＧＮＳＳ）に限定されない。例えば、ここに提供される手法は、例えば日本の準天頂衛星システム（Quasi-Zenith Satellite System（ＱＺＳＳ））、インドのインド地域航法衛星システム（Indian Regional Navigational Satellite System（ＩＲＮＳＳ））、中国の北斗（Beidou））、その他のような種々の地域的システム、並びに／または１つ以上の世界規模および／または地域的航法衛星システムに関係づけられた、もしくはそうでなければ使用可能とされた、種々の補強システム（例えば、衛星ベース補強システム（Satellite Based Augmentation System（ＳＢＡＳ））に適用され得るか、またはそれらでの使用が可能にされ得る。限定ではなく例として、ＳＢＡＳは保全情報、ディファレンシャル補正、その他を提供する（複数の）補強システム、例えば、広域補強システム（Wide Area Augmentation System（ＷＡＡＳ））、欧州の静止衛星を利用した航法精度向上サービス（European Geostationary Navigation Overlay Service（ＥＧＮＯＳ））、多機能衛星補強システム（Multi-functional Satellite Augmentation System（ＭＳＡＳ））、ＧＰＳ支援地理補強航法（GPS Aided Geo Augmented Navigation）またはＧＰＳおよび地理補強航法システム（GPS and Geo Augmented Navigation system（ＧＡＧＡＮ））、および／または、類似のシステムを含み得る。したがって、ＳＰＳは、ここで用いられると、１つ以上の世界規模および／または地域的航法衛星システムおよび／または補強システムの任意の組合せを含み得る。またＳＰＳ信号はＳＰＳの、ＳＰＳ類似の、および／またはそのような１つ以上のＳＰＳに関係づけられた他の信号を含み得る。
【００２５】
特に、ＧＰＳは米国国防総省によって開発された、正確なマイクロ波信号を送信する２４から３２個の中高度地球軌道衛星の集合体を用いる世界規模航法衛星システムである。これにより、ＧＰＳ受信機がその現在位置、時間、およびその速度を決定できる。ＧＰＳは世界規模で航法支援のために広く用いられるようになっており、また、ＣＤＭＡ無線インタフェイス規格のようなセルラネットワークのための同期資源を提供する。
【００２６】
ＧＰＳ受信機はＧＰＳ衛星によって送られた信号を正確に時間測定することによりその位置を計算する。各衛星は絶えずメッセージを送り、メッセージはそのメッセージが送られた時刻、正確な軌道情報（エフェメリス）、並びに一般的なシステム健全性およびすべてのＧＰＳ衛星の粗な軌道（アルマナック）を含む。ＧＰＳ受信機は各メッセージの送信時刻を測定し、各衛星との距離を計算する。これらの距離を衛星の位置と組合せ、幾何学的三辺測量を用いて、受信機の位置を決定する。この位置はおそらく地図が動く表示器でまたは緯度、経度で表示される。また、高度情報が含まれ得る。ＧＰＳ受信機は位置変化から計算した方向と速度のような派生情報も示し得る。
【００２７】
一例において、ＲＦ送受信機１０６は第２のＲＦ通信システム１０４からＧＰＳ無線インタフェイス規格を用いる衛星信号を受信するように適応され、また、セルラインタフェイス規格を用いる第１のＲＦ通信システムとセルラ信号を交信（例えば送信および／または受信）するように適応される。以下の説明は特にＧＰＳに関係するが、ＳＰＳのいかなる形式も置き換え可能であることに注意のこと。
【００２８】
ＲＦ送受信機１０６は例えば移動局（ＭＳ）または移動側モデム（ＭＳＭ）と呼ばれ得る。移動局は固定（すなわち、静止）および／または移動（すなわち可搬）であり得る。移動局は以下の１つ以上を非限定的に含む種々の形式で実施され得る。すなわち、パーソナルコンピュータ（ＰＣ）、デスクトップコンピュータ、ラップトップコンピュータ、ワークステーション、ミニコンピュータ、メインフレーム、スーパーコンピュータ、ネットワークベースのデバイス、データプロセッサ、携帯情報端末（ＰＤＡ）、スマートカード、携帯電話、ポケットベル、および腕時計。
【００２９】
図２に本発明の一態様に従って、図１に示すようなＲＦ送受信機１０６のブロック図表現の一例を示す。ＲＦ送受信機１０６は、一般に、第１の送信機ＲＦチェーン２０２、第１の受信機ＲＦチェーン２０４、第２の受信機ＲＦチェーン２０６、およびベースバンド信号プロセッサ２０８を含む。実際には、あらゆるＲＦ送受信機設計が、図１に示す要素のすべてを有するわけではなく、図１に示す送受信機１０６が他のＲＦ送受信機設計の複雑さを伝えているわけでもない。
【００３０】
第１の送信機ＲＦチェーン２０２は、一般に、第１のアンテナ２１０、デュプレクサ２１２、送信機２１４、ディジタルアナログ変換器（ＤＡＣ）２１６、ディジタルアップコンバータ（ＤＵＣ）２１８を含む。これらの各要素および機能は当業者には個別に既知である。動作において、第１の送信機ＲＦチェーン２０２は例えばデータおよび／または音声信号のようなセルラ信号２４８を送信するように適応される。
【００３１】
第１の受信機ＲＦチェーン２０４は、一般に、第１のアンテナ２１０、デュプレクサ２１２、第１の受信機２２０、第１のアナログディジタル変換器（ＡＤＣ）２２２、第１のディジタルダウンコンバータ（ＤＤＣ）２２４を含む。これらの各要素および機能はディジタルＲＦ送受信機設計の当業者には個別に既知である。デュプレクサ２１２、送信機２１４、および第１の受信機２２０は第１のＲＦフロントエンド２２６と呼ばれる。動作において、第１の受信機ＲＦチェーン２０４は例えばセルラデータおよび／もしくは音声信号、並びに／またはＧＰＳ信号として表わされる第１の信号２５０を受信するように適応される。
【００３２】
第２の受信機ＲＦチェーン２０６は、一般に、第２のアンテナ２２８、第２の受信機２３２を含む第２のＲＦフロントエンド２３０、第２のアナログディジタル変換器（ＡＤＣ）２３４、および第２のディジタルダウンコンバータ（ＤＤＣ）２３６を含む。これらの各要素および機能はディジタルＲＦ送受信機設計の当業者には個別に既知である。動作において、第２の受信機ＲＦチェーン２０６は例えばセルラページング信号および／またはＧＰＳ信号として表わされる第２の信号２５２を受信するように適応される。
【００３３】
ベースバンド信号プロセッサ２０８は、一般に、第１の信号プロセッサ２３８、第２の信号プロセッサ２４０、第３の信号プロセッサ２４２、第１の同調信号プロセッサ２４４、および第２の同調信号プロセッサ２４６を含む。動作において、第１の信号プロセッサ２３８は送信されるべきおよび／または受信されたデータ信号を処理するように適応される。動作において、第２の信号プロセッサ２４０は送信されるべきおよび／または受信されたセルラ信号を処理するように適応される。動作において、第３の信号プロセッサ２４２は受信されたＧＰＳ信号を処理するように適応される。動作において、第１の同調信号プロセッサ２４４は第１の受信機ＲＦチェーン２０４の１つ以上の要素を同調するための１つ以上の第１の同調信号２５４、および第１の送信機ＲＦチェーン２０２の１つ以上の要素を同調するための１つ以上の第１の同調信号２５５を生成するように適応される。動作において、第２の同調信号プロセッサ２４６は第２の受信機ＲＦチェーン２０６の１つ以上の要素を同調するための１つ以上の第２の同調信号２５６を生成するように適応される。
【００３４】
ベースバンド信号プロセッサ２０８は図示されない他の送信および受信機能を含み得る。例えば、送信機能はシンボルレートで符号化、インタリービング、および多重化を、並びにチップレートでチャネル化、拡散、および変調することを含む。例えば、受信機能はＲＡＫＥ受信およびシンボル合成、チップレートでのフィンガ制御、並びにシンボルレートでデマルチプレキシング、デインタリービング、および復号することを含む。
【００３５】
一例において、ＲＦ区間２５８は第１のアンテナ２１０、第１のＲＦフロントエンド２２６、第２のアンテナ２２８、および第２のＲＦフロントエンド２３０を表す。中間周波数（ＩＦ）区間２６０はＤＡＣ２１６、ＤＵＣ２１８、第１のＡＤＣ２２２、第１のＤＤＣ２２４、第２のＡＤＣ２３４、および第２のＤＤＣ２３６を表す。ベースバンド部２６２はベースバンド信号プロセッサ２０８を表す。ＲＦ２５８、ＩＦ２６０、およびベースバンド２６２における変形はＲＦ送受信機１０６の設計に依存して可能とされ得る。
【００３６】
一例において、アナログ領域２６４は第１のアンテナ２１０、第１のＲＦフロントエンド２２６、第２のアンテナ２２８、第２のＲＦフロントエンド２３０、並びに第１のＤＡＣ２１６、第１のＡＤＣ２２２および第２のＡＤＣ２３４の各々の前半を表す。ディジタル領域２６６は第１のＤＡＣ２１６、第１のＡＤＣ２２２および第２のＡＤＣ２３４の各々の後半、並びにＤＵＣ２１８、第１のＤＤＣ２２４、第２のＤＤＣ２３６、およびベースバンド信号プロセッサ２０８を表す。アナログ領域２６４およびディジタル領域２６６における変形はＲＦ送受信機１０６の設計に依存して可能とされ得る。
【００３７】
本発明の態様は、第１の同調信号プロセッサ２４４および第２の同調信号プロセッサ２４６によってそれぞれ提供された第１の同調信号２５４および第２の同調信号２５６に応答して、第１の受信機ＲＦチェーン２０４および第２の受信機ＲＦチェーン２０６でそれぞれ受信された第１の信号２５０および第２の信号２５２を、ここに説明するような第１の信号プロセッサ２３８、第２の信号プロセッサ２４０および第３の信号プロセッサ２４２による処理のために、多重化することに関する。
【００３８】
図３に、第１の受信機ＲＦチェーン２０４および第２の受信機ＲＦチェーン２０６の付加的詳細を示す、ＲＦ送受信機のブロック図表現の一例を示す。
【００３９】
第１の受信機ＲＦチェーン２０４において、第１の受信機２２０は、一般に、フィルタおよび低雑音増幅器（ＬＮＡ）（図示しない）を含む。第１のＤＤＣ２２４は、一般に、周波数ダウンコンバージョンモジュール３０６、局部発振器モジュール３０８、フィルタ３１０、および利得制御器（図示しない）を含む。通常の受信機ＲＦチェーン内で既知の他の要素が含まれ得る。
【００４０】
第２の受信機ＲＦチェーン２０６において、第２の受信機２３２は、一般に、フィルタおよび低雑音増幅器（ＬＮＡ）（図示しない）を含む。ＤＤＣ２３６は、一般に、周波数ダウンコンバージョンモジュール３１８、局部発振器モジュール３２０、フィルタ３２２、および利得制御器（図示しない）を含む。通常の受信機ＲＦチェーン内に用いられることが既知である他の要素は第１の受信機ＲＦチェーン２０４および第２の受信機ＲＦチェーン２０６に含まれ得る。
【００４１】
局部発振器モジュール３０８および３２０はそれぞれ第１の送信機ＲＦチェーン２０２と同様に第１の受信機チェーン２０４および第２の受信機チェーン２０６のための１つ以上のＬＯ信号を発生する。局部発振器モジュール３０８および３２０はそれぞれ電圧制御発振器（ＶＣＯ）、分周器、基準発振器、局部発振器（ＬＯ）バッファ、および低域フィルタを含む。ＶＣＯは、ＶＣＯ設計の当業者に周知のように、正および負のＶＣＯ信号を発生する。分周器は、分周器設計の当業者に周知のように、正および負のＶＣＯ信号を分周する。
【００４２】
第１の受信機ＲＦチェーン２０４、第２の受信機ＲＦチェーン２０６、および第１の送信機ＲＦチェーン２０２の各々は、ディジタルＲＦ送受信機設計の当業者に周知のように、同相（「Ｉ」）および直交位相（「Ｑ」）信号のような１つ以上のディジタル信号ペアを処理し、出力し、または生成し得る。
【００４３】
本発明の態様は、第１の受信機ＲＦチェーン２０４および第２の受信機ＲＦチェーン２０６で受信された第１の信号２５０および第２の信号２５２を、ここにさらに説明するような第１の信号プロセッサ２３８、第２の信号プロセッサ２４０および第３の信号プロセッサ２４２による処理のために多重化することを可能にするために、第１の受信機ＲＦチェーン２０４および第２の受信機ＲＦチェーン２０６内の種々の要素へ第１の同調信号２５４および第２の同調信号２５６を提供することに関する。
【００４４】
同調され得る要素の例は第１の受信機ＲＦチェーン２０４の局部発振器モジュール３０８およびフィルタ３１０、並びに第２の受信機ＲＦチェーン２０６の局部発振器モジュール３２０およびフィルタ３２２を含む。
【００４５】
一例において、フィルタ３１０および３２２はディジタルフィルタである。これらのディジタルフィルタ３１０および３２２を同調することは、例えばそれらのタイミングおよび状態情報を含むそれらのパラメータを調整することを必要とする。ディジタルフィルタ３１０および３２２の各々は、例えばそれらのタイミングおよび状態情報で記述された予め定められた既知の状態をも有し得る。これらは第１の同調信号プロセッサ２４４および第２の同調信号プロセッサ２４６により提供されたリセット信号によってそれぞれ迅速にリセットされ得る。
【００４６】
別の例において、第１の受信機ＲＦチェーン２０４および／または第２の受信機ＲＦチェーン２０６のすべての要素に起因する群遅延はモードおよび／または信号の多重化（すなわちスイッチング）の間一定のままであるべきである。群遅延を一定に保つということは、例えば、第２の受信機ＲＦチェーン２０６の第２のＲＦフロントエンド２３０およびディジタルフィルタ３２２が、これらの要素が複数の動作モードの間を迅速に相互に切り換えられる（すなわち多重化する）ことが可能なように設計されるということを意味する。これらの要素がＧＰＳモードへ切り換えられる場合、それらのタイミングおよび位相はベースバンド信号プロセッサ２０８のＧＰＳタイミング（例えば、図４のリアルタイムクロック４０６）に確定的に揃えられる。いくつかの場合に、第１の受信機ＲＦチェーン２０４および第２の受信機ＲＦチェーン２０６間の多重化に起因する群遅延の変化はベースバンド信号プロセッサ２０８のダウンストリーム信号処理の中で調整され得る。
【００４７】
別の例において、周波数誤差は切り換え操作の間、漂動しない。ＲＦチェーンがＧＰＳモードから切り離される場合、（例えば、局部発振器モジュール３２０内の）電圧制御発振器（ＶＣＯ）、およびＶＣＯのためのいかなる基準クロック源も乱されない。
【００４８】
図４に、ベースバンド信号プロセッサ２０８の付加的詳細を示す、ＲＦ送受信機１０６のブロック図表現の一例を示す。
【００４９】
ベースバンド信号プロセッサ２０８は信号ルータ４０２、制御器４０４、リアルタイムクロック４０６、およびメモリー４０８をさらに含む。通常のベースバンド信号プロセッサに用いられることが既知である他の通常の要素はベースバンド信号プロセッサ２０８に含まれ得る。
【００５０】
制御器４０４は第１の同調信号プロセッサ２４４のための、データ情報信号４１０、トラヒックチャネル情報信号４１２、第１のＧＰＳ情報信号４１４を、メモリー４０８に格納された計算機命令によって示されここに説明した方法に従って出力する。制御器４０４は第２の同調信号プロセッサ２４６のための、ルーティング情報信号４１６、ページングチャネル情報信号４１８、および第２のＧＰＳ情報信号４２０を、メモリー４０８に格納された計算機命令によって示されここに説明した方法に従って出力する。
【００５１】
リアルタイムクロック４０６は制御器４０４、第１の同調信号プロセッサ２４４、および第２の同調信号プロセッサ２４６へリアルタイムクロック信号４４４を出力する。リアルタイムクロック信号４４４は、第１および第２の受信機ＲＦチェーンが、第１の信号２５０および第２の信号２５２によって表される経時的に多重化された信号を高精度に受信することを可能にするために、高精度なローカルタイミング基準を提供する。リアルタイムクロック信号４４４は、第１の信号プロセッサ２３８、第２の信号プロセッサ２４０、および第３の信号プロセッサ２４２が、予測できないディジタル遅延を持ち込むことなく送信信号２４８を経時的に高精度に処理すると同様に、第１の受信信号２５０および第２の受信信号２５２によって表される経時的に多重化した信号を高精度に処理することを可能にするために、高精度なローカルタイミング基準も提供する。
【００５２】
リアルタイムクロック４０６はサンプルクロック信号が、システムの設計によって決められた固定長時間だけサンプルカウントからオフセットされている同期サンプリング方式をサポートする。受信機がＧＰＳモードに同調する時、サンプルクロックはサンプルカウンタ遷移点に同期される。サンプルカウンタはすべての離調操作の間、乱されない状態のままであり、予測できないまたは不定なディジタル遅延は受信機に持ち込まれない。
【００５３】
メモリー４０８は、ＲＦ送受信機設計の当業者に周知のように、例えば方法もしくは処理を表す、計算機可読命令のような格納された命令のソースおよび／もしくは行き先、並びに／またはベースバンド信号プロセッサ２０８および／もしくは制御器４０４で用いるためのデータを出力する。
【００５４】
信号ルータ４０２は、一般に、第１の２方向信号ルータ４３８、３方向信号ルータ４４０、および第２の２方向信号ルータ４４２を含む。信号ルータ４０２は、一般に、第１の信号プロセッサ２３８、第２の信号プロセッサ２４０、および第３の信号プロセッサ２４２の１つ以上と、第１の送信ＲＦチェーン２０２、第１の受信機ＲＦチェーン２０４、および第２の受信機ＲＦチェーン２０６の１つ以上との間の信号経路を定める。信号ルータ４０２は、例えば信号マルチプレクサ、１つ以上のスイッチ、信号制御器、その他を含む、信号経路を定める任意のデバイスとして実施され得る。さらに、信号プロセッサを強い信号を受信することから保護するための雑音信号を出力するために、例えば、消去信号がマルチプレクサの入力として用いられ得る。
【００５５】
第１の２方向信号ルータ４３８は第１の信号プロセッサ２３８からの送信データ信号４２２、または、第２の信号プロセッサ２４０からの送信音声信号を送信信号２４８として、第１の送信機ＲＦチェーン２０２へ選択的に送る。
【００５６】
３方向信号ルータ４４０は受信データ信号４２６、受信音声信号４２８、および受信ＧＰＳ信号４３０の１つとして表される第１の受信信号２５０を第１の受信機ＲＦチェーン２０４から、それぞれ第１のプロセッサ２３８、第２のプロセッサ２４０、および第３のプロセッサ２４２へ選択的に送る。
【００５７】
第２の２方向信号ルータ４４２は受信セルラページング信号４３４および受信ＧＰＳ信号４３６の１つとして表される第２の受信信号２５２を第１の受信機ＲＦチェーン２０４から第２のプロセッサ２４０および第３のプロセッサ２４２の１つへ選択的に送る。
【００５８】
図４に示す種々の信号および要素を提供し、タイミングをとり、ルーティングし、および制御すること、その他に関する本発明の種々の態様をここにさらに説明する。
【００５９】
図５に、第２の受信機ＲＦチェーン２０６におけるＧＰＳ信号４３６とセルラページング信号４３４を多重化するＲＦ送受信機１０６のための信号ダイアグラム表現の一例５００を示す。信号ダイアグラムは第１の受信機ＲＦチェーン２０４によって受信された第１の受信信号２５０、および第２の受信ＲＦチェーン２０６によって受信された第２の受信信号２５２を含む。信号２５０および２５２の各々は時間５０１を基準にして、時間と共に進行する。
【００６０】
第１の受信機ＲＦチェーン２０４はデータ信号４２６の受信を可能にするために、ある期間にわたりデータチャネルに同調される。次に、第２の受信機ＲＦチェーン２０６のセルラページングチャネル上のセルラページング信号４３４の受信検出および処理に応答して、第１の受信機ＲＦチェーン２０４はセルラトラヒックチャネルに同調され、ある期間にわたりセルラ音声信号４２８を受信する。
【００６１】
第２の受信ＲＦチェーン２０６はＧＰＳ信号４３６の受信を可能にするために、ＧＰＳ信号期間５０２にわたりＧＰＳチャネルに同調される。次に、第２の受信ＲＦチェーン２０６は、セルラページング信号４３４がセルラページングチャネル上にある場合、それの受信を可能にするために、セルラページングチャネル期間５０３にわたりセルラページングチャネルに同調５１２される。第２の受信ＲＦチェーン２０６は、ＧＰＳ信号４３６およびセルラページング信号４３４の受信をそれぞれ可能にするために、ＧＰＳチャネルへの同調とセルラチャネルへの同調が交互になされるように続ける。
【００６２】
セルラページングチャネル期間５０３は、典型的には、無線インタフェイス規格によって指定され、例えばＷＣＤＭＡにおいては５０から２００ミリ秒の長さであり得る。セルラページングチャネル期間５０３はすべてのセルラチャネル期間の中で固定され得る。代替的に、セルラページングチャネル期間５０３は種々の状態、例えばチャネル状態に依存して複数の異なるセルラページングチャネル期間５０３の中で変化し得る。
【００６３】
ＲＦ送受信機１０６は第１のＲＦ（例えばセルラ）通信システム１０２から送られるセルラページング信号に対してセルラページングチャネル期間５０３を監視する。ＲＦ送受信機１０６が、セルラページング信号が第２の受信機ＲＦチェーン２０６で受信済みであることを、参照番号５１４で表されるように、検出すると、ＲＦ送受信機１０６は第１の送信機ＲＦチェーン２０２を介して第１のＲＦ（例えばセルラ）通信システム１０２へ肯定応答信号を送信することによりページングに応答する。その後、第１の受信機ＲＦチェーン２０４はセルラ音声信号を受信するためにセルラトラヒックチャネルに同調される。また、第１の送信機ＲＦチェーン２０２はセルラ音声信号を送信するためにセルラトラヒックチャネルに同調される。
【００６４】
セルラページングチャネル間隔５０４は、典型的には、無線インタフェイス規格によって指定され、例えばＷＣＤＭＡにおいては２．５６から５．１２秒の長さであり得る。またこれは種々の状態、例えば種々のキャリアオプションに依存して変化し得る。
【００６５】
ＧＰＳ信号検出集積期間５０６は、典型的には、無線インタフェイス規格によって指定され、例えば、ＷＣＤＭＡにおいては１０ミリ秒から１２秒の長さであり得る。またこれは種々の状態、例えば異なる環境に依存して変化し得る。例えば、ビル外でのＧＰＳ信号検出集積期間（signal detection integration time duration）５０６は１．０秒であり得る（すなわち、より感度の高い受信機に対して浅い取得（shallow acquisition）を必要とする比較的強いＧＰＳ信号受信に起因する）。また、ビル内では１２秒であり得る（すなわち、より感度の低い受信機に対して深い取得（deep acquisition）を必要とする比較的弱いＧＰＳ信号受信に起因する）。さらに、例えば、ＧＰＳ信号検出集積期間５０６はＧＰＳ信号の信号強度に依存して発見的スケジューリングアルゴリズム（heuristic scheduling algorithms）によって決定され得る。
【００６６】
ＧＰＳ信号復調期間５０８は、典型的には、無線インタフェイス規格によって設定され、例えば、ＷＣＤＭＡにおいては３０秒から６０秒の長さであり得る。またこれは種々の状態、例えば異なる信号、環境、および受信機状態に依存して変化し得る。
【００６７】
例えばＷＣＤＭＡのような無線インタフェイス規格に対する種々の典型的な期間および間隔を比較すると、セルラページングチャネル間隔５０４における２．５６から５．１２秒の長さは比較的低いデューティサイクルであり、いくつかの信号状態のもとで１０ミリ秒から１２秒の長さのＧＰＳ信号検出集積期間５０６の間に２回以上に、および３０から６０秒の長さのＧＰＳ信号復調期間５０８の間に複数回になり得る。
【００６８】
５０から２００ミリ秒の長さのセルラページングチャネル期間５０３は、２．５６から５．１２秒の長さのセルラページングングチャネル間隔５０４、１０ミリ秒から１２秒の長さのＧＰＳ信号検出集積期間５０６、および３０から６０秒の長さのＧＰＳ信号復調期間５０８と比べて比較的短い時間である。また、第２の受信機ＲＦチェーン２０６におけるセルラページングチャネル期間５０３の間、ＧＰＳ信号は受信されないため、その期間５０３はＧＰＳ信号４３６の受信における「ブランク」または「ブランキング」時間と呼ばれ得る。
【００６９】
一般に、ＧＰＳ信号は比較的低い信号対雑音比（ＳＮＲ）を有するため、ＧＰＳ信号検出集積期間５０６およびＧＰＳ信号復調期間５０８は比較的長い期間である。受信機ＲＦチェーンでＧＰＳ信号の連続的受信を（例えば「ブランキング」により）中断または縮小することはＧＰＳ受信機の感度を低下させ、復調能力を制限し得る。信号の伝搬遅延がＧＰＳ「位置情報」を含むため、ＧＰＳ信号の受信および処理に持ち込まれるいかなる不確定性も、ＧＰＳ受信機の位置計算の精度に影響する測定雑音として解される。
【００７０】
受信機の感度を低下させることなく、ＧＰＳ信号の適時かつ高品質な受信および処理を可能にするために、種々の方法が採用され得る。一方、セルラページングチャネル上のセルラページング信号４３４を監視し、もしあれば、受信するためにセルラページングチャネルに同調するために、受信したＧＰＳ信号が周期的に中断される。この種々の方法は、そのような中断に起因する第２のＲＦ受信機チェーン２０６の感度低下を小さくする方法でＧＰＳ信号４３６の中断に対処する。ＲＦ送受信機は単一のＲＦチェーンがＧＰＳ動作とページングチャネル動作の間で共有されることを前提とする。ページングチャネルの動作は例えば１ｘ、ＥＶＤＯ、ＧＳＭ、ＷＣＤＭＡ、その他のようなセルラ技術を含む１つ以上の無線インタフェイス規格または技術に対するページングチャネル動作であり得る。
【００７１】
第１の方法はＧＰＳ信号４３６の受信中のセルラページングチャネル期間５０３のブランク時間をＧＰＳ信号４３６の一時的で短期間のフェージングとして処理することである。この方法において、セルラページングチャネル間隔５０４の５０から２００ミリ秒の長さの比較的短いセルラページングチャネル期間５０３は、比較的長いＧＰＳ信号検出集積期間５０６、または比較的長いＧＰＳ信号復調期間５０８上のＧＰＳ信号４３６の適時で高品質な受信および処理への顕著な影響を有するべきでない。ＧＰＳ信号４３６は、受信されたＧＰＳ信号４３６のタイミングおよび品質にいかなる感知可能で有害な影響もなしに、最大２００〜３００ミリ秒のフェージングに遭うと予期される。
【００７２】
第２の方法はセルラページングングチャネル期間５０３の間のＧＰＳ信号４３６の推定、推測、または予測５１０を決定することである。セルラページングチャネル期間５０３がＧＰＳ信号検出集積期間５０６または比較的長いＧＰＳ信号復調期間５０８に較べ比較的短い時間であるため、ＧＰＳ信号推定５１０は合理的な推定の筈である。第２の方法はセルラページングチャネル期間５０３の間にブランク（すなわち無信号）を処理するのではなくＧＰＳ信号の推定５１０が処理される故に、前述の一時的かつ短期間のフェージング解決法より改善されていると考えられ得る。
【００７３】
前述の一時的かつ短期間のフェージング解決法およびＧＰＳ信号推定の各々において、第３の信号プロセッサ２４２はセルラページングチャネル期間５０３の間のフェージングまたはＧＰＳ信号推定を、受信されたＧＰＳ信号４３６と共に処理し、適時性および高品質を有し、セルラページングチャネル期間５０３に起因するＧＰＳ信号４３６の受信のいかなる明白な中断もなしに、復元した（すなわち経時的に集積した）ＧＰＳ信号を出力する。主チャネル上のデータを中断できない場合、これらの方法は適切である。例えば、ボイスオーバーＩＰ（voice over IP）、またはテレビ会議のようなマルチメディア応用は中断されるべきでない。
【００７４】
図６に、第１の受信機ＲＦチェーンと第２の受信機ＲＦチェーンの間でＧＰＳ信号の受信を多重化する、ＲＦ送受信機１０６の信号ダイアグラム表現の第１の例６００を示す。
【００７５】
主チャネル上のデータが中断可能な場合、第３の方法はセルラページングチャネル期間５０３の間に第２の受信機ＲＦチェーン２０６におけるＧＰＳ信号４３６がブランクにされることになる時に、第１の受信機ＲＦチェーン２０４で実際のＧＰＳ信号４３０を受信する。この方法において、実際の、全体が連続したＧＰＳ信号は、ＧＰＳ信号を第１の受信機ＲＦチェーン２０４と第２の受信機ＲＦチェーン２０６の間で多重化することにより、経時的に受信される。用語「多重化」は、例えば「２つのチェーン２０４と２０６を真に高速に交互に切り換えること」として特徴付けられ得る。一例において、切り換えは数マイクロ秒以内で起こる。
【００７６】
動作において、第２の受信機ＲＦチェーン２０６はＧＰＳ信号４３６を受信するためにＧＰＳチャネルに同調される。第２の受信機ＲＦチェーン２０６におけるセルラページングチャネル期間５０３の間に第１の受信機ＲＦチェーン２０４はＧＰＳ信号４３０を受信するために、ＧＰＳチャネルに同調される。この場合、ＧＰＳ信号４３０および４３６は同じ実際の連続した経時的に受信されたＧＰＳ信号のセグメントであるが、第１の受信機ＲＦチェーン２０４および第２の受信機ＲＦチェーン２０６で、２つの異なる隣接し連続した時間に、それぞれ受信される。
【００７７】
第１の受信機ＲＦチェーン２０４は時間６０２においてＧＰＳ信号４３０を受信するためにＧＰＳチャネルに同調され得る。その理由は第１の受信機ＲＦチェーン２０４が中断可能なデータ信号４２６を受信中であり、セルラ音声信号４２８を受信するためにセルラトラヒックチャネルに同調されないからである（すなわち、第２の受信機ＲＦチェーン２０６においてセルラページング信号が受信、検出、および処理が未だなされていない）。データ信号４２６の特徴は、それらの受信のタイミングが、実際のＧＰＳ信号４３０を適時に受信することへ優先権を与える（すなわち受信を中止する）ため、またはセルラ音声信号４２８を受信することへ優先権を与えるために、経時的にいくらか自由度があり得ることである。データ信号４２６は第１の（例えばセルラ）ＲＦ通信システム１０２においてデータ信号を格納することにより、第１の受信機ＲＦチェーン２０４がデータ信号を受信するために利用可能になるまで、単純に中止され得る。
【００７８】
第１および第２の方法と同様に、第３の信号プロセッサ２４２は、連続した適時性と品質を備え、かつセルラページングチャネル期間５０３に起因するＧＰＳ信号４３６の受信の明白な中断のない再構成されたＧＰＳ信号を提供するために、第２の受信機ＲＦチェーンから受け取った受信ＧＰＳ信号４３６と共に、セルラページングチャネル期間５０３の間に第１の受信機ＲＦチェーンからの実際のＧＰＳ信号４３０を処理する。
【００７９】
図６の信号ダイアグラム６００において、第１の受信機ＲＦチェーン２０４でＧＰＳ信号４３０を受信するＧＰＳチャネルへの同調に対する期間は第２の受信機ＲＦチェーン２０６におけるセルラページングチャネル期間５０３に一致し、始まりと終わりを時間的に揃える。この場合、２つの対応する時間のオーバラップはない。時間的なオーバラップがないことの利点には、ＧＰＳ信号４３０が第１の受信機ＲＦチェーン２０４で受信される期間を縮小することが含まれる。しかし、第１の受信機ＲＦチェーン２０４と第２の受信機ＲＦチェーン２０６の間にいくらかの遅延がある場合、時間的オーバラップが無いことは第１の受信機ＲＦチェーン２０４から受け取ったＧＰＳ信号４３０のいくつかのビットが失われ、処理に利用できない結果になり得る。ＧＰＳ信号４３０の起こりうる消失ビットは図７を参照して説明する第４の方法によれば保護され得る。
【００８０】
図７に、第１の受信機ＲＦチェーン２０４と第２の受信機ＲＦチェーン２０６の間でＧＰＳ信号の受信を多重化する、ＲＦ送受信機１０６の信号ダイアグラム表現の第２の例７００を示す。この例は、データ信号が中断されるかもしれない場合にも適切である。
【００８１】
第４の方法において、第１の受信機ＲＦチェーン２０４でＧＰＳ信号４３０を受信するためにＧＰＳチャネルに同調する期間は、第２の受信機ＲＦチェーン２０６におけるセルラページングチャネル期間５０３の始まりおよび／または終わりと時間的にオーバラップする。この場合、対応する２つの時間のオーバラップがある。オーバラップ時間の状態は「切断前接続」と呼ばれ得る。データ信号４２６を受信するための第１の受信機ＲＦチェーン２０４における残りの時間はオーバラップの結果として短縮されるが、データ信号の２次優先権に起因して、データ信号に与える影響は依然として些細であるだろう。
【００８２】
時間的オーバラップを有することの利点には、たとえいくらかの遅延（例えば部分的キャリア位相差）が第１の受信機ＲＦチェーン２０４と第２の受信機ＲＦチェーン２０６の間にあるとしても、両パスにおけるＧＰＳ信号のすべてのビットを受信し処理すること、それによりデータビット誤りが無くなることがある。言い換えれば、第１の受信機ＲＦチェーン２０４で受信されたＧＰＳ信号４３０はオーバラップ時間の間に第２の受信機ＲＦチェーン２０６で受信されたＧＰＳ信号４３６に対する部分的キャリア位相差を推定するために解析されるかもしれない。同様に、ＧＰＳ信号４３６に戻る時、ＧＰＳ信号４３６を用いることに先立ち（すなわちオーバラップの間））、ＧＰＳ信号４３６は第１の受信機ＲＦチェーン２０４で受信されたＧＰＳ信号４３０に対する部分的キャリア位相差を推定するために解析されるかもしれない。推定された部分的キャリア位相差は、両パスのＧＰＳ信号４３０、４３６からＧＰＳ信号を再構成する際、復調誤差を避ける（または減少する）ように考慮される。再構成されたＧＰＳ信号は一実施例において実質的に完全なＧＰＳ信号であり、また別の実施例において完全なＧＰＳ信号である。
【００８３】
図８に、第１の受信機ＲＦチェーン２０４でデータ信号を受信するための方法８００の一例を示す。
【００８４】
方法８００はブロック８０１で始まる。
【００８５】
ブロック８０２において、ＲＦ送受信機１０６は第２の受信機ＲＦチェーン２０６でセルラページング信号４３４の受信に対する応答を検出する。典型的には、セルラページング信号４３４は第２の（すなわちセルラ）信号プロセッサ２４０によって入力され処理される（すなわち、取得、復号、復調、その他）。制御器４０４はセルラページング信号４３４の入力および処理を検出し、応答を生成する。
【００８６】
ブロック８０３において、ＲＦ送受信機１０６は、ＲＦ送受信機が第１の受信機ＲＦチェーン２０４でセルラ音声信号４２８を受信する必要があるかもしくは受信中であるか、または否かを判定する。そのような判定は、典型的には、第２の信号プロセッサ２４０によるセルラページング信号の入力、検出および処理に応答して制御器４０４によってなされる（図４を参照のこと）。ブロック８０３における判定が肯定の場合、本方法８００はブロック８０５へ進む。ブロック８０３における判定が否定の場合、本方法８００はブロック８０４へ進む。
【００８７】
ブロック８０４において、ＲＦ送受信機１０６は、ＲＦ送受信機１０６がＧＰＳ信号を受信もしくは受信し続ける必要があるか、または否かを判定する。そのような判定は、典型的には、第３の信号プロセッサ２４２から入力した情報、クロック信号４４４、およびメモリー４０８から検索されたＧＰＳ情報に応答して制御器４０４によってなされる（図４を参照のこと）。ブロック８０４における判定が肯定の場合、本方法８００はブロック８０５へ進む。ブロック８０４における判定が否定の場合、本方法８００はブロック８０６へ進む。
【００８８】
参照番号８０９に注記するように、ブロック８０３におけるセルラ音声信号４２８の受信および／またはブロック８０４におけるＧＰＳ信号の受信のそれぞれは第１の受信機ＲＦチェーン２０４におけるデータ信号４２６の受信に対して優先権を有する。
【００８９】
ブロック８０５において、ＲＦ送受信機１０６は第１の受信機ＲＦチェーン２０４でデータ信号４２６を、もしあれば、受信する機会を待つ。待機の間、ＲＦ送受信機１０６は、第１の受信機ＲＦチェーン２０４におけるセルラトラヒックチャネル上のセルラ音声信号４２８を受信中であり得るか、または第１の受信機ＲＦチェーン２０４におけるＧＰＳチャネル上のＧＰＳ信号４３０を受信中であり得る。第１の同調信号プロセッサ２４４は、第１の受信機ＲＦチェーンを、制御器４０４によって提供されるトラヒックチャネル情報信号に応答してトラヒックチャネルに、または、制御器４０４によって提供される第１のＧＰＳ情報信号４１４に応答してＧＰＳチャネルに同調する。ブロック８０５の後、方法８００は、ＲＦ送受信機１０６がセルラ音声信号４２８またはＧＰＳ信号４３０を受信する必要がないか、またはもはや受信していない状況になるまで、ブロック８０３およびブロック８０４へ戻る。
【００９０】
ブロック８０６において、ＲＦ送受信機１０６は第１の受信機ＲＦチェーン２０４におけるデータチャネルに同調する。第１の同調信号プロセッサ２４４は制御器４０４によって提供されたデータ情報信号４１０に応答して第１の受信機ＲＦチェーン２０４をデータチャネルに同調する。
【００９１】
ブロック８０７において、ＲＦ送受信機１０６は、第１の受信機ＲＦチェーン２０４でデータ信号４２６を、もしあれば、受信する。第１の信号プロセッサ２３８は受信データ信号４２６を処理する。この処理は例えば復号、逆拡散、テキストまたはオーディオへの変換、その他を含み得る。参照番号８１０に注記するように、データ信号４２６は第１の受信機ＲＦチェーン２０４で受信される前に、第１の（例えば、セルラ）ＲＦ通信システム１０２に格納され得る。
【００９２】
方法８００はブロック８０８で終了する。
【００９３】
図９に、第１の送信機ＲＦチェーン２０２でデータ信号４２２を送信するための方法９００の一例を示す。
【００９４】
方法９００はブロック９０１で始まる。
【００９５】
ブロック９０２において、ＲＦ送受信機１０６は第２の受信機ＲＦチェーン２０６におけるセルラページングチャネル上のセルラページング信号４３４の受信を検出する。典型的には、第２の信号プロセッサ２４０はセルラページング信号４３４を入力し処理（例えば取得、復号、復調、その他）する。ブロック９０２におけるこの検出動作は通信システム１００がどのように設計されているかによって、データ信号４２２の送信には必要でないことがあり得る。ＲＦ送受信機１０６が、セルラページング信号４３４の受信の後にのみ送信可能である場合、ブロック９０２における動作が必要である。ＲＦ送受信機が先にセルラページング信号４３４を受信することなく送信可能である場合、ブロック９０２における動作は不要であり得る。
【００９６】
ブロック９０３において、ＲＦ送受信機１０６は、ＲＦ送受信機が第１の送信機ＲＦチェーン２０２でセルラ音声信号４２４を送信する必要があるかもしくは送信中であるか、または否かを判定する。そのような判定は、典型的には、第２の信号プロセッサ２４０によるセルラページング信号の入力、処理（例えば取得、検出、復調、その他）に応答して制御器４０４によって、または送信するかもしくは送信中のセルラ音声信号４２４を有する第２の信号プロセッサ２４０によってなされる（図４を参照のこと）。ブロック９０３における判定が肯定の場合、方法９００はブロック９０５へ進む。ブロック９０３における判定が否定の場合、方法９００はブロック９０４へ進む。参照番号９０８に注記するように、ブロック９０３におけるセルラ音声信号４２４の送信は第１の送信機ＲＦチェーン２０２でのデータ信号４２２の送信に対して優先権を有する。
【００９７】
ブロック９０４において、ＲＦ送受信機１０６は第１の送信機ＲＦチェーン２０２をデータチャネルに同調する。ブロック９０５において、ＲＦ送受信機１０６は第１の送信機ＲＦチェーン２０２でデータ信号４２２を、もしあれば、送信する機会を待つ。待機の間、ＲＦ送受信機１０６は第１の送信機ＲＦチェーン２０２におけるセルラトラヒックチャネル上のセルラ音声信号４２４を送信中であり得る。ブロック９０５の後、方法９００は、ＲＦ送受信機１０６がセルラ音声信号４２４を送信する必要がないか、またはもはや送信していない状況になるまで、ブロック９０３における判定を再度行うために戻る。
【００９８】
ブロック９０６において、ＲＦ送受信機１０６は第１の送信機ＲＦチェーン２０２でデータ信号４２２を、もしあれば、送信する。参照番号９０９に注記するように、データ信号４２２は第１の送信機ＲＦチェーン２０２で送信される前に、ＲＦ送受信機１０６（例えば、メモリー４０８）に格納され得る。
【００９９】
方法９００はブロック９０７で終了する。
【０１００】
図１０に、第１の受信機ＲＦチェーン２０４でセルラ音声信号４２８を受信するための方法１０００の一例を示す。
【０１０１】
方法１０００はブロック１００１で始まる。
【０１０２】
ブロック１００２において、ＲＦ送受信機１０６は第２の受信機ＲＦチェーン２０６でのセルラページング信号４３４の受信に対する応答を検出する。典型的には、セルラページング信号４３４は第２の（すなわち、セルラ）信号プロセッサ２４０によって受信され処理（すなわち、取得、復号、復調、その他））される。制御器４０４はセルラページング信号４３４の受信および処理を検出し、応答を生成する（図４を参照のこと）。
【０１０３】
ブロック１００３において、ＲＦ送受信機１０６は、ＲＦ送受信機１０６が第１の受信機ＲＦチェーン２０４でデータ信号４２６を受信もしくは受信し続ける必要があるか、または否かを判定する。そのような判定は、典型的には、第２の信号プロセッサ２４０によるセルラページング信号４３４の受信および処理（例えば取得、復号、復調、その他）に応答して制御器４０４によってなされる（図４を参照のこと）。ブロック１００３における判定が肯定の場合、方法１０００はブロック１００５へ続く。ブロック１００３における判定が否定の場合、方法１０００はブロック１００４へ続く。参照番号１００８に注記するように、ブロック８０３におけるセルラ音声信号４２８の受信は第１の受信機ＲＦチェーン２０４でのデータ信号４２６の受信に対して優先権を有する。
【０１０４】
ブロック１００４において、ＲＦ送受信機１０６は第１の受信機ＲＦチェーン２０４のトラヒックチャネルに同調する。第１の同調信号プロセッサ２４４は制御器４０４によって提供されるトラヒックチャネル情報信号４１２に応答して第１の受信機ＲＦチェーン２０４をトラヒックチャネルに同調する。（図４を参照のこと）。
【０１０５】
ブロック１００５において、ＲＦ送受信機１０６はデータ信号４２６の受信を中止し、第１の受信機ＲＦチェーン２０４でそのデータ信号を、もしあれば、受信する機会を待つ。待機の間、ＲＦ送受信機１０６は第１の受信機ＲＦチェーン２０４におけるセルラトラヒックチャネル上のセルラ音声信号４２８を受信中であり得る。第１の同調信号プロセッサ２４４は制御器４０４により提供されるトラヒックチャネル情報信号４１２に応答して第１の受信機ＲＦチェーン２０４をトラヒックチャネルに同調する。ブロック１００５の後、方法１０００は、ＲＦ送受信機１０６がデータ信号４２６を受信する必要がないか、またはもはや受信していない状況になるまで、ブロック１００３における判定を再度行うために戻る。データ信号４２６は第１の受信機ＲＦチェーン２０４で受信される前に第１の（例えばセルラ）ＲＦ通信システム１０２に格納され得る。
【０１０６】
ブロック１００６において、ＲＦ送受信機１０６は第１の受信機ＲＦチェーン２０４でセルラ音声信号４２８を、もしあれば、受信する。第２の信号プロセッサ２４０は受信したセルラ音声信号４２８を処理する。この処理は例えば復号、逆拡散、テキストまたはオーディオへの変換、その他を含み得る。
【０１０７】
方法１０００はブロック１００７で終了する。
【０１０８】
図１１に、第１の送信機ＲＦチェーン２０２でセルラ音声信号４２４を送信するための方法の一例１１００を示す。
【０１０９】
方法１１００はブロック１１０１で始まる。
【０１１０】
ブロック１１０２において、ＲＦ送受信機１０６は第２の受信機ＲＦチェーン２０６におけるセルラページングチャネル上のセルラページング信号４３４の受信を検出する。典型的には、第２の信号プロセッサ２４０はセルラページング信号４３４を入力し処理（例えば、取得、復号、復調、その他）する。ブロック１００２におけるこの検出動作は、通信システム１００の設計のされ方によって、セルラ音声信号４２４の送信には不要であり得る。ＲＦ送受信機１０６が、セルラページング信号４３４の受信後にのみ送信可能である場合、ブロック１１０２における動作が必要である。ＲＦ送受信機１０６が先にセルラページング信号４３４を受信することなく送信可能である場合、ブロック１１０２における動作は不要であり得る。
【０１１１】
ブロック１１０３において、ＲＦ送受信機１０６は、ＲＦ送受信機が第１の送信機ＲＦチェーン２０２でデータ信号４２２を送信する必要があるかもしくは送信中であるか、または否かを判定する。そのような判定は、典型的には、第２の信号プロセッサ２４０によるセルラページング信号４３４の入力、処理（例えば取得、検出、復調、その他）に応答して制御器４０４によって、または送信するもしくは送信中のセルラ音声信号４２４を有する第２の信号プロセッサ２４０によってなされる。ブロック１１０３における判定が肯定の場合、方法１１００はブロック１１０５へ続く。ブロック１１０３における判定が否定の場合、方法１１００はブロック１１０４へ続く。参照番号１１０９に注記するように、ブロック１１０３におけるセルラ音声信号４２４の送信は第１の送信機ＲＦチェーン２０２でのデータ信号４２２の送信に対して優先権を有する。
【０１１２】
ブロック１１０４において、ＲＦ送受信機１０６はブロック１１０２で説明したように、第１の送信機ＲＦチェーン２０２でセルラページング信号４３４に、必要であれば、応答する。ブロック１１０５において、ＲＦ送受信機１０６は、データ信号４２２の送信を中止し、未送信のデータ信号４２２を、もしあれば、格納し、第１の送信機ＲＦチェーン２０２でそのデータ信号４２２を、もしあれば、送信する機会を待つ。待機の間、ＲＦ送受信機１０６はセルラトラヒックチャネル上でセルラ音声信号４２４を送信中であり得る。ブロック１１０５の後、方法１１００は、ＲＦ送受信機１０６がデータ信号４２２を送信する必要がないか、またはもはや送信していない状況になるまで、ブロック１１０３における判定を再度行うために戻る。
【０１１３】
ブロック１１０６において、ＲＦ送受信機１０６は第１の送信機ＲＦチェーン２０２をトラヒックチャネルに同調する。ブロック１１０７において、ＲＦ送受信機１０６は第１の送信機ＲＦチェーン２０２でセルラ音声信号４２４を、もしあれば、送信する。典型的には、そのような送信は制御器４０４に応答して第２の信号プロセッサ２４０によって提供される。（図４を参照のこと）。
【０１１４】
方法１１００はブロック１１０８で終了する。
【０１１５】
図１２に、第２の受信機ＲＦチェーン２０６におけるＧＰＳ信号４３６とセルラページング信号４３４とを多重化するための方法１２００の一例を示す。
【０１１６】
方法１２００はブロック１２０１で始まる。
【０１１７】
ブロック１２０２において、ＲＦ送受信機１０６は第２の受信機ＲＦチェーン２０６におけるＧＰＳチャネルに同調、または時間的に前進していれば、再同調する。ブロック１２０３において、ＲＦ送受信機１０６は第２の受信機ＲＦチェーン２０６でＧＰＳ信号４３６を受信するか、または時間的に前進していれば、受信を続ける。ブロック１２０３は副ブロック１２０４乃至１２０７をさらに含む。その各々は典型的には、図４に示すように第３の（例えばＧＰＳ）信号プロセッサ２４２によって実行される。
【０１１８】
ブロック１２０４において、ＲＦ送受信機１０６はＧＰＳ信号４３６を取得し、取得したＧＰＳ信号を出力する。ブロック１２０５において、ＲＦ送受信機１０６は取得したＧＰＳ信号を復調し、復調したＧＰＳ信号を出力する。ブロック１２０６において、ＲＦ送受信機１０６は復調したＧＰＳ信号を処理し、処理したＧＰＳ信号を出力する。ブロック１２０７において、ＲＦ送受信機１０６は処理したＧＰＳ信号を経時的に（例えばメモリー４０８に）格納し保持する。
【０１１９】
ブロック１２０８において、ＲＦ送受信機１０６は、ＲＦ送受信機１０６がセルラページングチャネルに同調し、監視するために、第２の受信機ＲＦチェーン２０６でのＧＰＳ信号４３６の受信を中断する指示を受け取るかどうかを判定する。典型的には、そのような判定はクロック信号４４４に応答して制御器４０４によってなされる。ブロック１２０８における判定が肯定である場合、方法１２００はブロック１２０９へ続く。ブロック１２０８における判定が否定である場合、方法１２００はブロック１２０３へ戻る。参照番号１２２０に注記するように、セルラページング信号４３４の受信は第２の受信機ＲＦチェーン２０６でのＧＰＳ信号４３６の受信に対して優先権を有する。
【０１２０】
ブロック１２０９において、ＲＦ送受信機１０６は第２の受信機ＲＦチェーン２０６に対するＧＰＳチャネル同調情報を決定し、格納する。これにより、ＲＦ送受信機１０６が、ＧＰＳ信号４３６を中断する前のＧＰＳチャネルの最新最良既知状態（last and best known state）を知ることが可能となる。第１の（すなわち、短期間フェージング）方法および第２の（すなわち、ＧＰＳ信号推定）方法に対して、ＲＦ送受信機１０６は格納されたＧＰＳチャネルの最新最良既知状態を用いて、「ブランク」セルラページングチャネル期間５０３後に、第２の受信機ＲＦチェーン２０６をＧＰＳチャネルに再同調するかもしれない。例えば、ＧＰＳチャネルの最新最良既知状態に基づいてＧＰＳチャネルの推定または予測が決定され得る。代替的に、ＲＦ送受信機１０６は推定ＧＰＳ信号を用いて、「ブランク」セルラページングチャネル期間５０３後に第２の受信機ＲＦチェーン２０６をＧＰＳチャネルに再同調するかもしれない。
【０１２１】
ブロック１２１０において、ＲＦ送受信機１０６は、典型的には、制御器４０４からのルーティング信号情報４１６に応答して、第２の受信機ＲＦチェーン２０６で受信中のＧＰＳ信号４３６を中断する。ブロック１２１０は副ブロック１２１１乃至１２１２をさらに含む。その各々は典型的には、図４に示すように第３の（例えばＧＰＳ）信号プロセッサ２４２によって実行される。
【０１２２】
ブロック１２１１において、ＲＦ送受信機１０６は中断の「ブランク」セルラページングチャネル期間５０３の間の推定ＧＰＳ信号５１０（あるいは「ブリッジ信号」と呼ばれる）を決定する。ＲＦ送受信機１０６は最新に受信され格納されたＧＰＳ信号４３６に基づいて推定ＧＰＳ信号５１０を決定する。
【０１２３】
ブロック１２１２において、ＲＦ送受信機１０６は中断のセルラページングチャネル期間５０３の間の推定ＧＰＳ信号５１０を処理する。典型的には、第３の（例えば、ＧＰＳ）信号プロセッサ２４２は復元したＧＰＳ信号を出力するために、ＧＰＳ信号４３６と推定ＧＰＳ信号５１０とを経時的に組み合わせることにより推定ＧＰＳ信号５１０の処理を実行する。
【０１２４】
ブロック１２１３において、ＲＦ送受信機１０６は第２の受信機ＲＦチェーン２０６をセルラページングチャネルに同調する。ブロック１２１４において、ＲＦ送受信機１０６はセルラページング信号４３４の受信のために第２の受信機ＲＦチェーン２０６におけるセルラページングチャネルを、もしそのチャネルにあれば、監視する。ブロック１２１４は副ブロック１２１５乃至１２１７をさらに含む。その各々は典型的には、図４に示すように第２の（例えばセルラ）信号プロセッサ２４０によって実行される。
【０１２５】
ブロック１２１５において、ＲＦ送受信機１０６はセルラページング信号４３４を取得し、取得したセルラページング信号を出力する。ブロック１２１６において、ＲＦ送受信機１０６は取得したセルラページング信号を復調し、復調したセルラページング信号を出力する。ブロック１２１７において、ＲＦ送受信機１０６は復調したセルラページング信号を処理し、処理したセルラページング信号を出力する。
【０１２６】
ブロック１２１８において、ＲＦ送受信機１０６はＲＦ送受信機が第２の受信機ＲＦチェーン２０６でのセルラページングチャネル期間５０３の間の監視を完了しているかどうかを判定する。そのような判定は、典型的には、クロック信号４４４に応答して制御器４０４によってなされる。ブロック１２１８における判定が肯定の場合、方法１２００はブロック１２１９へ続く。ブロック１２１８における判定が否定の場合、方法１２００はブロック１２１４へ戻り、セルラページング信号の受信のためにセルラページングチャネルの監視を続ける。
【０１２７】
ブロック１２１９において、ＲＦ送受信機１０６は第２の受信機ＲＦチェーン２０６におけるセルラページングチャネルに対する同調情報を決定し、格納する。これにより、ＲＦ送受信機１０６が、ＧＰＳ信号４３６の受信を続ける前にセルラページングチャネルの最新最良既知状態を知ることが可能となる。ＲＦ送受信機１０６は格納されたセルラページングチャネルの最新最良既知状態を用いて、次の「ブランク」セルラページングチャネル期間５０３の間に第２の受信機ＲＦチェーン２０６をセルラページングチャネルに再同調するかもしれない。例えば、セルラページングチャネルの最新最良既知状態に基づいてセルラページングチャネルの推定または予測が決定され得る。
【０１２８】
図１３に、第１の受信機ＲＦチェーン２０４におけるＧＰＳ信号４３０とデータ信号４２６とを多重化するための方法の一例１３００を示す。
【０１２９】
方法１３００はブロック１３０１で始まる。
【０１３０】
ブロック１３０２において、ＲＦ送受信機１０６は第１の受信機ＲＦチェーン２０４をデータチャネル同調、または時間的に前進していれば、再同調する。
【０１３１】
ブロック１３０３において、ＲＦ送受信機１０６は第１の受信機ＲＦチェーン２０４でデータ信号４２６を受信するか、または時間的に前進していれば、受信を続ける。ブロック１３０３は副ブロック１３０４乃至１３０６をさらに含む。その各々は典型的には、図４に示すように第１の（例えばデータ）信号プロセッサ２３８によって実行される。
【０１３２】
ブロック１３０４において、ＲＦ送受信機１０６はデータ信号４２６を取得し、取得したデータ信号を出力する。ブロック１３０５において、ＲＦ送受信機１０６は取得したデータ信号を復調し、復調したデータ信号を出力する。ブロック１３０６において、ＲＦ送受信機１０６は復調したデータ信号を処理し、処理したデータ信号を出力する。
【０１３３】
ブロック１３０７において、ＲＦ送受信機１０６は、第１の受信機ＲＦチェーン２０４でＧＰＳ信号４３０を受信するために、第２の受信機ＲＦチェーン２０６でのセルラページングチャネル期間の中断に対応してＲＦ送受信機１０６が、データ信号４２６の受信を中断するべきであるという指示を受け取るかどうかを判定する。そのような判定は、典型的には、クロック信号４４４に応答して制御器４０４によってなされる。ブロック１３０７における判定が肯定である場合、方法１３００はブロック１３０８へ続く。ブロック１３０７における判定が否定である場合、方法１３００はブロック１３０３へ戻り、データ信号４２６の受信を続ける。参照番号１３１７に注記するように、第１の受信機ＲＦチェーン２０４におけるＧＰＳ信号４３６の受信は第１の受信機ＲＦチェーン２０４におけるデータ信号４２６の受信に対して優先権を有する。
【０１３４】
ブロック１３０８において、ＲＦ送受信機１０６は第１の受信機ＲＦチェーン２０４に対するデータチャネル同調情報を決定し、格納する。これにより、ＲＦ送受信機１０６が、データ信号４２６を中断する前のデータチャネルの最新最良既知状態を知ることが可能となる。ＲＦ送受信機１０６は格納されたデータチャネルの最新最良既知状態を用いて、図６および図７に示すように、ＧＰＳ信号４３０を受信した後に第１の受信機ＲＦチェーン２０４をデータチャネルに再同調するかもしれない。例えば、データチャネルの最新最良既知状態に基づいてデータチャネルの推定または予測が決定され得る。
【０１３５】
ブロック１３０９において、ＲＦ送受信機１０６は第１の受信機ＲＦチェーン２０４で受信中のデータ信号４２６を中断する。
【０１３６】
ブロック１３０８において、ＲＦ送受信機は第１の受信機ＲＦチェーン２０４に対するデータチャネル同調情報を決定し、格納する。これにより、ＲＦ送受信機１０６が、データ信号４２６を中断する前にデータチャネルの最新最良既知状態を知ることが可能となる。ＲＦ送受信機１０６は格納されたデータチャネルの最新最良既知状態を用いて、ＧＰＳ信号を受信した後に第１の受信機ＲＦチェーン２０４をデータチャネルに再同調するかもしれない。
【０１３７】
ブロック１３０９において、ＲＦ送受信機１０６は第１の受信機ＲＦチェーン２０４で受信中のデータ信号４２６を中断する。
【０１３８】
ブロック１３１０において、ＲＦ送受信機１０６は期間６０２の間、図６および図７に示すように、第１の受信機ＲＦチェーン２０４でＧＰＳ信号４３０を受信するために、第２の受信機ＲＦチェーン２０６におけるセルラページングチャネル期間の中断に対応して、ＧＰＳチャネルに同調する。ＧＰＳチャネル期間６０２は図６に示すように、対応するセルラページングチャネル期間５０３の始まりおよび／または終わりと時間的にオーバラップせず、揃えられ得る。代替的に、ＧＰＳチャネル期間６０２は図７に示すように、対応するセルラページングチャネル期間５０３の始まりおよび／または終わりと時間的にオーバラップし得る。
【０１３９】
ブロック１３１１において、ＲＦ送受信機１０６は第１の受信機ＲＦチェーン２０４におけるＧＰＳチャネル上の（代替的に、「ブリッジ信号」と呼ばれる）ＧＰＳ信号４３０を受信する。ブロック１３１１は副ブロック１３１２乃至１３１４をさらに含む。その各々は典型的には、図４に示すように第３の（例えばＧＰＳ）信号プロセッサ２４２によって実行される。
【０１４０】
ブロック１３１２において、ＲＦ送受信機１０６はＧＰＳ信号４３０を取得し、取得したＧＰＳ信号を出力する。ブロック１３１３において、ＲＦ送受信機１０６は取得したＧＰＳ信号を復調し、復調したＧＰＳ信号を出力する。ブロック１３１４において、ＲＦ送受信機１０６は復調したＧＰＳ信号を処理し、処理したＧＰＳ信号を出力する。
【０１４１】
ブロック１３１５において、ＲＦ送受信機１０６は、ＲＦ送受信機１０６が第２の受信機ＲＦチェーン２０６におけるセルラページングチャネル期間の中断に対応して、第１の受信機ＲＦチェーン２０４でのＧＰＳ信号４３０の受信を完了しているかどうかを判定する。そのような判定は、典型的には、クロック信号４４４に応答して制御器４０４によってなされる。ブロック１３１５における判定が肯定である場合、方法１３００はブロック１３１６へ続く。ブロック１３１５での判定が否定である場合、方法１３００はブロック１３１１へ戻り、第１の受信機ＲＦチェーン２０４におけるＧＰＳチャネル上のＧＰＳ信号４３０の受信を続ける。
【０１４２】
ブロック１３１６において、ＲＦ送受信機１０６は第１の受信機ＲＦチェーン２０４におけるＧＰＳチャネルに対する同調情報を決定し、格納する。これにより、ＲＦ送受信機１０６が、データ信号４２６の受信を続ける前のＧＰＳチャネルの最新最良既知状態を知ることが可能となる。ＲＦ送受信機１０６は格納されたＧＰＳチャネルの最新最良既知状態を用いて、図６および図７に示すように、ＧＰＳチャネル同調期間６０２の間に第１の受信機ＲＦチェーン２０４をＧＰＳチャネルに再同調するかもしれない。例えば、ＧＰＳチャネルの最新最良既知状態に基づいてデータチャネルの推定または予測が決定され得る。
【０１４３】
図１４に、第１の受信機ＲＦチェーン２０４と第２の受信機ＲＦチェーン２０６の間でＧＰＳ信号４３６を多重化するための方法の一例１４００を示す。
【０１４４】
図１４のすべてのブロックは図１２では示されない図１４のブロック１４０１を除いて、図１２について説明したものと同じである。さらに、ブロック１２１１およびブロック１２１２は図１４に示されない。
【０１４５】
ブロック１４０１において、ＲＦ送受信機１０６は、図１２のブロック１２１１および１２１２で説明したような推定ＧＰＳ信号に頼らずに第１の受信機ＲＦチェーン２０４で実際のＧＰＳ信号を受信するために、中断の期間の間に図１３の方法１３００のブロック１３１０乃至１３１６を実行する。
【０１４６】
各受信機ＲＦチェーンの中断（すなわち別のチャネルに同調したとき）の後の正確な動作を確実にするために、タイミング位置合わせがなされるべきである。より詳細には、受信機ＲＦチェーンの共有アナログ領域のサンプリングクロックは同調されているチャネルに応じてリセットされる。サンプリングクロックが中断されたチャネルのタイミングに戻る時（例えば、ＧＰＳに関係づけられたタイミングの戻る時）、サンプリングクロックの位相は中断前の位相とはおそらく異なるだろう。
【０１４７】
特に、ＧＰＳモードにおいて、ＧＰＳタイミング測定値の精度は確定的遅延（すなわち、位相確定性）を有する受信機ＲＦチェーンに頼る。サンプルクロックで動くベースバンドフィルタ（例えば、図３の３１０および３２２）はデシメーションおよび内挿機能を実行する。これらのフィルタは（複数の）受信機ＲＦチェーンに確定的遅延および遅延整合があるようにするために、リセット後に既知の位相を有する必要がある。したがって、一実施例において、フィルタはそれらの位相を調整させる。別の実施例において、サンプルクロック自体が調整される。
【０１４８】
位相の不確定性を減少するために、アナログ信号のサンプリングレートがＮｙｑｕｉｓｔレート以上に大きくされる。信号の受信後に、信号はＮｙｑｕｉｓｔレートでのディジタル処理のためにダウンコンバージョンされる。一例において、リアルタイムクロック４０６によって提供されたシステム時間はサンプリングレートを増加するために細かな精度（例えば、ｃｈｉｐｘ８またはｃｈｉｐｘ３２の精度）で保たれる。次に、周波数ダウンコンバージョンモジュール３０６および／または３１８において、より粗いレート（例えばｃｈｉｐｘ２））へのダウンコンバージョンが発生する。より高いレートでのサンプリングにより、位相不確定性は減少する。例えば、ｃｈｉｐｘ２のサンプリングレートで現れる１／２チップの位相不確定性に比べると、ｃｈｉｐｘ３２のサンプリングレートによれば、位相不確定性は１／３２チップを超えないだろう。ＧＰＳシステムにおいて、１／３２チップの不確定性は約１０メートル以内の精度に対応するのに対し、１／２チップの不確定性は約１５０メートル以内の精度に対応する。
【０１４９】
ダウンサンプリングの間にディジタルカウンタに基づいて位相補正が行われる。クロック信号４４４は多重化変換全体にわたり保持される（すなわち、そのままであり続ける）。一実施例において、ディジタルクロックとして動作しているリアルタイムクロック４０６は１／（３２×１．０２３０）マイクロ秒の精度でディジタルカウンタを計時する。ディジタルカウンタは中断の間中そのままであり続けることにより、入力データを適切に位相シフトすることにより位相補正を容易にすることが可能である。
【０１５０】
一例において、位相合わせは、各多重化された機能間で共有されるＲＦ回路におけるすべてのフィルタ（例えば、図３の３１０および３２２）が、クロック信号４４４の最下位ビット（ＬＳＢ）がＧＰＳの１／２チップ境界を示すとき、リセット信号を受け取ることを確実にする。この位置合わせは、各多重化された機能間で共有されるＲＦ回路がＧＰＳ信号受信とセルラページング受信間を交互に切り換えられる時に、遅延の不確定さが受信機に持ち込まれないことを確実にする。言い換えれば、この受信機の処理は多重化された信号の適時で高品質な受信を提供する既知の確定的処理を有利に提供する。
【０１５１】
代替的実施
本説明または仮出願において、何かが「最適化される」、「要求される」という表現、または他の表現は、現在の開示が最適化されるシステムまたは「要求される」要素が存在しないシステムにのみに適用されるということ、（または他の表現による他の制限）を示していない。これらの表現は説明した特定の実施にのみ関係している。当然、個別にまたは任意の他の特徴と組合せのいずれかで、任意の構成および説明された任意の処理で、任意の順序で、任意の形式を用いて、説明されたいかなる特徴も含む、多くの実施が可能である。本手法はここで検討したプロトコル以外の開発中または開発予定のプロトコルを含むプロトコルと共に用いられることが可能である。
【０１５２】
ここに説明した方法は用途に依存して種々の手段で実施され得る。例えば、これらの方法はハードウェア、ファームウェア、ソフトウェア、またはそれらの任意の組合せで実施され得る。ハードウェアの実施において、処理は１つ以上の特定用途向ＩＣ（ＡＳＩＣ）、ディジタル信号プロセッサ（ＤＳＰ）、ディジタル信号処理デバイス（ＤＳＰＤ）、プログラマブル論理デバイス（ＰＬＤ）、フィールドプログラマブルゲートアレイ（ＦＰＧＡ）、プロセッサ、制御器、マイクロ制御器、マイクロプロセッサ、電子デバイス、ここに説明した機能を実行するように設計された他の電子ユニット、またはそれらの組合せの中で実施され得る。
【０１５３】
ファームウェア、および／または、ソフトウェアの実施において、本方法はここに説明した機能を実行するモジュール（例えば、手順、機能など）で実施され得る。命令を実体として具体化するいかなる機械可読媒体もここに説明した方法の実施に用いられ得る。例えば、ソフトウェアコードはメモリーに格納され、プロセッサによって実行され得る。メモリーはプロセッサ内またはプロセッサ外部で実施され得る。用語「メモリー」は、ここで用いられると、いかなる形式の長期、短期、揮発性、不揮発性または他のメモリーも指し、いかなる特定の形式のメモリーにも、メモリーが格納されるいかなる形式の媒体にも限定されない。
【０１５４】
ファームウェアおよび／またはソフトウェアで実施される場合、機能は計算機可読媒体上の１つ以上の命令またはコードとして格納され得る。例には、データ構造でコード化された計算機可読媒体および計算機プログラムでコード化された計算機可読媒体が含まれる。計算機可読媒体は物理的計算機記憶媒体を含む。記憶媒体は計算機によってアクセス可能な任意の利用可能な媒体であり得る。限定としてではなく、例として、そのよう計算機可読媒体は、ＲＡＭ、ＲＯＭ、ＥＥＰＲＯＭ、ＣＤ−ＲＯＭもしくは他の光ディスク記憶、磁気ディスク記憶もしくは他の磁気記憶デバイス、または所望のプログラムコード手段を命令もしくはデータ構造の形式で格納するために用いられることが可能で、計算機によってアクセスされることが可能な任意の他の媒体を含むことが可能である。ディスク（ｄｉｓｋ）およびディスク（ｄｉｓｃ）はここに用いられると、コンパクトディスク（ＣＤ）、レーザーディスク（登録商標）、光ディスク、ディジタル多目的ディスク（ＤＶＤ）、フロッピー（登録商標）ディスクおよびブルーレイディスク（登録商標）を含む。ここでｄｉｓｋは通常、データを磁気的に再生し、ｄｉｓｃはレーザで光学的にデータを再生する。上記の組合せも計算機可読媒体の範囲内に含まれるべきである。
【０１５５】
命令および／またはデータは計算機可読媒体への格納に加えて、通信装置に含まれる伝送媒体上の信号として提供され得る。例えば、通信装置は命令およびデータを表す信号を有する送受信機を含み得る。命令およびデータは１つ以上のプロセッサに特許請求項に略述した機能を実施させるように構成される。しかし、通信装置は命令および／またはデータのすべては計算機可読媒体に格納しないことがあり得る。
【０１５６】
「代表的」という言葉は、ここでは「例、実例、または例証として役立つこと」を意味するために用いられる。ここで「代表的」と説明されたいかなる実施例または設計も、必ずしも他の実施例より好ましいまたは有利であると解釈されるべきではない。
【０１５７】
ここには、参照のためおよび特定の節を見つけやすくするために見出しが含まれる。これらの見出しはそこに説明した概念の範囲を限定することを意図されない。また、これらの概念は明細書全体を通じて他の節においても適用可能であり得る。
【０１５８】
開示された実施例のこれまでの説明はいかなる当業者も本発明を製造しまたは使用することを可能にするように提供されている。これらの実施例への種々の変形は当業者に容易に明らかになるだろう。また、ここに定義した一般的原理は本発明の精神または範囲から逸脱することなく他の実施例に適用され得る。したがって、本発明はここに示した実施例に限定されることを意図されていず、ここに開示した原理および新規な特徴と矛盾しない最も広い範囲に一致されるべきものである。
【０１５９】
この特許出願に含まれる検討は基本的説明として役立つことが意図されている。読者は、この詳細な検討が、可能な実施例のすべてを明示的に説明し得ず、多くの代案が事実上含まれることに気づいているべきである。これは、本発明の一般的性質についても完全には説明し得ず、また、各特徴または要素が、どの程度より広い機能または代替もしくは等価な要素を実際に代理できるかを明示的に示し得ない。さらにまた、これらはこの開示に暗黙に含まれる。本発明がデバイス指向の用語で説明されるところでは、そのデバイスの各要素は機能を暗黙のうちに実行する。装置クレームが説明したデバイスのために含まれ得るだけでなく、方法またはプロセスクレームも本発明および各要素が実行する機能を記述するために含まれ得る。いかなる説明も用語も、いかなる後続の特許出願に含まれるであろうクレームの範囲を限定することを意図されていない。
【０１６０】
また、本発明の本質から逸脱することなく種々の変更がなされ得ることが理解されるべきである。そのような変更も本説明に暗黙的に含まれる。それらは、なお、本発明の範囲内である。示した（複数の）明示的実施例、種々の暗黙的代替実施例、および広範な方法または処理等を包含する広範な開示は、本開示によって包含され、後続するいかなる特許出願の請求項を起草する際にも、それに基づき得る。そのような言語変更、およびより広範もしくはより詳細な請求は後日（例えば要求される締め切り期限までに）、または、出願人が続いて本出願に基づいて特許得出願をしようとする場合に完成され得ることが理解されるべきである。この理解によって、読者は、本開示が出願人の権利の範囲内とみなされるものと同じくらい広い請求項ベースの審査を求め得、本発明の多くの態様を独立して、およびシステム全体として含む特許を生むように設計され得る、続いて出願されるいかなる特許出願もサポートするものと理解されるべきであることを認識しているべきである。
【０１６１】
さらに、本発明種々の要素および請求項の各々も種々の方法で達成され得る。さらに、１つの要素は、使用されまたは暗示される場合、物理的に接続され得るかまたは接続され得ない複数の構造と同様に個々の構造も包含するとして理解されるべきである。そのような変形が任意の装置実施例、方法もしくは処理実施例の変形実施例、または、単にこれらのいずれかの要素の変形であっても、本開示はそのような各変形の各々を包含すると理解されるべきである。特に、本開示が本発明の要素に関するものであるため、たとえ機能または結果が同じであるだけであったとしても、各要素に対する表現は等価な装置用語または方法用語によって表現され得ることが理解されるべきである。そのような等価で、より広い、またはより一般的用語でさえも、各要素または動作の説明に包含されると考えられるべきである。本発明が権利を受ける暗黙的に広い範囲を明示的にすることが望まれるところでは、そのような用語は置き換えられることが可能である。一例としてではあるが、すべての動作が、その動作をするための手段として、またはその動作を引き起こす要素として表現され得ることが理解されるべきである。同様に、開示された各物理的要素はその物理的要素が容易にする動作の開示を包含すると理解されるべきである。
【０１６２】
上記明細書において、本発明をその特定の代表的実施例を参照して説明してきた。それらに対する種々の変更は以下の請求項で記載されるような本発明のより広い精神および範囲から逸脱することなくなされ得ることは明白であるだろう。したがって、本明細書および図面は限定的意味よりはむしろ例示的意味と見なされるべきである。
【図１】
2011523999.tif 000003
【図２】
2011523999.tif 000004
【図３】
2011523999.tif 000005
【図４】
2011523999.tif 000006
【図５】
2011523999.tif 000007
【図６】
2011523999.tif 000008
【図７】
2011523999.tif 000009
【図８】
2011523999.tif 000010
【図９】
2011523999.tif 000011
【図１０】
2011523999.tif 000012
【図１１】
2011523999.tif 000013
【図１２】
2011523999.tif 000014
【図１３】
2011523999.tif 000015
【図１４】
2011523999.tif 000016
【国際調査報告】
2011523999.tif 000017
2011523999.tif 000018
2011523999.tif 000019